(57)【特許請求の範囲】
【請求項１】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
設備所管箇所監視制御端末装置から経路検索を求める始終端両指定装置を指定した経路検索要求情報が通信を通じてセンターサーバに送信されると、
センターサーバは、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、
当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、
当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、
これら生成されたレイヤ２の経路情報とレイヤ３の経路情報とに基づいて、指定された始終端両装置間のすべての経由装置と経路とを合成し、合成された始終端両指定装置間の経路検索結果を通信を通じて設備所管箇所監視制御端末装置に描画された系統図上に表示させることを特徴とするネットワークの経路検索システム。
【請求項２】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
設備所管箇所監視制御端末装置から経路検索を求める始終端両指定装置を指定した経路検索要求情報が通信を通じてセンターサーバに送信されると、
センターサーバが、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、
当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、
当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、
これら生成されたレイヤ２の経路情報とレイヤ３の経路情報とに基づいて、指定された始終端両装置間のすべての経由装置と経路とを合成し、合成された始終端両指定装置間の経路検索結果を通信を通じて設備所管箇所監視制御端末装置に描画された系統図上に表示させることを特徴とするネットワークの経路検索方法。
【請求項３】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバは、データベースの物理回線構成に基づいて系統図を描画し、描画された系統図を設備所管箇所監視制御端末装置に表示させ、設備所管箇所監視制御端末装置から描画された系統図に基づいて経路検索を求める始終端両装置の指定情報を受け取ると、データベースにより指定された始終端装置の一方のＩＰアドレスと装置情報とを抽出し、抽出された装置情報から装置の種別を判定し、
当該一方の装置がレイヤ２の場合、ＩＰアドレスに応じてログインコマンドを生成するとともにレイヤ２の経路情報照会コマンドを生成し、生成されたログインコマンドに基づいて当該一方の装置にレイヤ２経路情報照会コマンドを送出し、当該一方の装置側からレイヤ２経路情報読み出し結果を受け取ると、レイヤ２経路情報読み出し結果を解析してレイヤ２の経路情報を得るとともに次の装置を特定し、特定された次の装置について種別の判定からレイヤ２の経路情報取得までを、指定された始終端両装置の他方の装置に達するまで繰り返し、
当該一方の装置がレイヤ３の場合、ＩＰアドレスに応じて生成されたログインコマンドを生成するとともに経路検索コマンドを生成し、生成されたログインコマンドに基づいて当該一方の装置に経路検索コマンドを送出し、当該一方の装置側から経路検索結果を受け取ると、経路検索結果を解析してレイヤ３の経路情報を得るとともに次の装置を特定し、特定された次の装置について種別の判定からレイヤ３の経路情報取得までを、指定された始終端両装置の他方の装置に達するまで繰り返し、
レイヤ２の経路情報とレイヤ３の経路情報とが指定された始終端両装置間について得られると、これらレイヤ２の経路情報とレイヤ３の経路情報とに基づいて、指定された始終端両装置間のすべての経由装置と経路とを合成し、合成された始終端両装置間の経路検索結果を通信を通じて設備所管箇所監視制御端末装置に描画された系統図上に表示させることを特徴とするネットワークの経路検索システム。
【請求項４】
センターサーバは、設備所管箇所監視制御端末装置から経路検索実行時間または経路検索実行回数とのうち少なくともいずれか１を選択して経路検索の実行を繰り返す経路検索実行繰り返し情報を受け取ると、この繰り返し情報に基づいて、経路検索を繰り返すことを特徴とする請求項３に記載のネットワークの経路検索システム。
【請求項５】
系統図上に描画された経路検索結果が前回と異なる場合、前回の経路検索結果と視覚的に異ならせて描画することを特徴とする請求項４に記載のネットワークの経路検索システム。
【請求項６】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバは、構成管理データベースに基づいて網構成と局内構成とを含む物理回線構成情報を抽出して外部に出力する物理回線構成手段と、
物理回線構成手段から出力された物理回線構成情報に基づいて物理回線系統図を描画し、描画された物理回線系統図をセンターサーバ側表示端末装置と設備所管箇所監視制御端末装置とに表示させる物理回線系統図描画手段と、
外部からの指令に基づいて構成管理データベースから装置の名称とＩＰアドレスとを抽出して出力する装置登録情報抽出手段と、
設備所管箇所監視制御端末装置から描画された物理回線系統図に基づいて経路検索を求める始端装置と終端装置とについて装置指定情報を受け取ると、始終端の指定装置を決定し、始終端の各指定装置の名称を外部に出力する始終端指定装置決定手段と、
設備所管箇所監視制御端末装置から経路検索実行時間または経路検索実行回数とのうち少なくともいずれか１が選択された経路検索の実行を繰り返す経路検索実行繰り返し条件情報を受け取ると、選択された実行時間または実行回数のうち少なくともいずれか１の条件を決定して出力する実行時間・実行回数決定手段と、
実行時間・実行回数決定手段から決定された繰り返し条件情報を受け取り、外部から経路検索の繰り返しを指示する指令を受け取ると、実行時間・実行回数決定手段からの決定された繰り返し条件情報に基づいて外部からの指令が繰り返し条件を満たすかどうか判定し、満たすと判定した場合、経路検索の処理を終了し、満たさないと判定した場合、外部に経路検索の実行を繰り返すよう指示する繰り返し条件判定手段と、
始終端指定装置決定手段から出力された始終端の各指定装置の名称を受け取ると、これら各指定装置の名称を装置登録情報抽出手段に送出し、装置登録情報抽出手段から当該装置のＩＰアドレスを受け取ると、始終端の各指定装置の名称とこれら装置のＩＰアドレスを決定し、これら各指定装置のうち一方の装置のＩＰアドレスを出力するとともに、外部から新たな装置の情報を受け取ると、新たな装置の名称とＩＰアドレスを決定して出力する始終端間装置ＩＰアドレス決定手段と、
始終端間装置ＩＰアドレス決定手段から一方の指定装置のＩＰアドレスを受け取ると、構成管理データベースから装置登録情報抽出手段を通じて当該指定装置の装置情報を抽出し、当該指定装置のＩＰアドレスと装置情報とを出力するとともに、繰り返し条件判定手段から経路検索の実行を繰り返す指示を受け取ると、始終端間装置ＩＰアドレス決定手段から新たな装置のＩＰアドレスを受け取り、その新たな装置のＩＰアドレスと装置情報とを出力する始終端間装置情報抽出手段と、
始終端間装置情報抽出手段から一方の指定装置のＩＰアドレスと装置情報とを受け取ると、当該指定装置が何層に属するかの種別を判定し、判定された層に応じて種別毎に装置情報とそのＩＰアドレスを出力するとともに、外部から新たな装置についての情報が入力されると、この新たな装置について種別を判定し、判定された層に応じて種別毎に装置情報とそのＩＰアドレスを出力して種別の判定を繰り返し、一方の指定装置から他方の指定装置に達すると、経路合成の指示を出力する装置種別判定手段と、
装置種別判定手段により装置の種別がレイヤ２と判定され、レイヤ２の装置情報とそのＩＰアドレスが送られてくると、当該装置のＩＰアドレスからレイヤ２に属する装置のログインコマンドを、制御コマンド文法データベースからレイヤ２の経路情報照会コマンドとをそれぞれ生成し、この生成されたコマンドを通信を通じて当該装置に送出するレイヤ２経路情報照会コマンド生成手段と、
当該装置からレイヤ２の経路情報照会コマンドに対する読み出し処理結果が送られてくると、この処理結果を解析して当該装置と接続される経路上の次の装置を割り出し、次の装置の情報を新たな装置の情報として装置種別判定手段に送出するレイヤ２経路情報照会結果解析手段と、
装置種別判定手段により装置の種別がレイヤ３と判定され、レイヤ３の装置情報とそのＩＰアドレスが送られてくると、当該装置のＩＰアドレスからレイヤ３に属する装置のログインコマンドを、制御コマンド文法データベースによりレイヤ３の経路検索コマンドをそれぞれ生成し、この生成されたコマンドを通信を通じて当該装置に送出する経路検索コマンド生成手段と、
当該装置からレイヤ３の経路検索コマンドに対する経路検索結果が送られてくると、この検索結果を解析して当該装置と接続される経路上の次の装置を割り出し、次の装置の情報を新たな装置の情報として装置種別判定手段に送出する経路検索結果解析手段と、
装置種別判定手段から経路合成の指示を受け取ると、レイヤ２の装置の経路とレイヤ３の装置の経路とを合成し、始終端装置間のすべての経由装置と経路とを決定し、この決定された経由装置の情報と経路の情報とを含む経路検索結果を出力する始終端指定装置間経路合成手段と、
始終端指定装置間経路合成手段から受け取った経路検索結果を、物理回線系統図描画手段により描画された系統図上に表示するとともに、通信を通じて設備所管箇所監視制御端末装置に描画された系統図上に表示させ、経路検索の繰り返しを繰り返し条件判定手段に指示し、系統図上に描画された経路検索結果が前回と異なる場合、前回の経路検索結果と視覚的に異ならせて描画する系統図上経路描画手段とを備えたことを特徴とするネットワークの経路検索システム。
【請求項７】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバにより、データベースの物理回線構成に基づいて系統図を描画し、描画された系統図を設備所管箇所監視制御端末装置に表示させる第１のステップと、
設備所管箇所監視制御端末装置から表示された系統図に基づいて経路検索を求める始終端両装置の指定情報を受け取ると、データベースに基づいて指定された始終端両装置のうち一方のＩＰアドレスと装置情報とを抽出する第２のステップと、
抽出された装置情報から装置の種別を判定する第３のステップと、
第３のステップで当該一方の装置がレイヤ２と判定された場合、この判定結果に基づいて当該一方の装置のログインコマンドとレイヤ２経路情報照会コマンドとを生成して当該一方の装置側に送出する第４のステップと、
当該一方の装置側からレイヤ２経路情報読み出し結果を受け取ると、レイヤ２経路情報読み出し結果を解析してレイヤ２の経路情報を得るとともにレイヤ２の経路上に接続される次の装置を特定する第５のステップと、
第５のステップで特定された次の装置について、第３のステップに復帰して第５のステップまでの工程を繰り返し、指定された始終端両装置の一方の装置から他方の装置に至るまでの始終端両装置間のレイヤ２の経路情報を得る第６のステップと、
第３のステップで当該一方の装置がレイヤ３と判定された場合、この判定結果に基づいて当該一方の装置のログインコマンドと経路検索コマンドとを生成して当該一方の装置側に送出する第７のステップと、
当該一方の装置側から経路検索結果を受け取ると、経路検索結果を解析してレイヤ３の経路情報を得るとともにレイヤ３の経路上に接続される次の装置を特定する第８のステップと、
第８のステップで特定された次の装置について、第３のステップに復帰して第７のステップから第８のステップまでの工程を繰り返し、指定された始終端両装置の一方の装置から他方の装置に至るまでの始終端両装置間のレイヤ３の経路情報を得る第９のステップと、
第６のステップで得られた始終端両装置間のレイヤ２の経路情報と第９のステップで得られた始終端両装置間のレイヤ３の経路情報とに基づいて、始終端両装置間のすべての経由装置と経路とを合成し、合成された始終端両装置間の経路検索結果を通信を通じて設備所管箇所監視制御端末装置に描画された系統図上に表示させる第１０のステップとを有することを特徴とするネットワークの経路検索方法。
【請求項８】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバは、設備所管箇所監視制御端末装置から経路検索を求める始終端両装置の指定情報を受け取ると、データベースに基づいて指定された始終端両装置間の網構成情報を抽出し、抽出された網構成情報から種別の異なる階層の装置の有無を判定し、
レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して当該レイヤ２に属する各対象装置に送出し、当該各対象装置側からレイヤ２経路情報読み出し結果を受け取ると、レイヤ２経路情報読み出し結果を解析してレイヤ２の経路情報を生成し、生成されたレイヤ２の経路情報からレイヤ２網の構成部に関する経路を決定し、
レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出し、当該一方の指定装置側から経路検索コマンドの処理結果を受け取ると、この処理結果を解析してレイヤ３の経路情報を生成し、
生成されたレイヤ３の経路情報から経路上の途絶部の有無を判定するととともに判定回数をカウントし、
判定回数が１回でかつ途絶部がない場合、決定されたレイヤ２の経路情報と一方の指定装置側からのレイヤ３の経路情報とを合成して、始終端装置間のすべての経由装置と経路を決定し、
判定回数が１回でかつ途絶部がある場合、始終端装置を逆転させて他方の指定装置のログインコマンドと経路検索コマンドとを生成して当該他方の指定装置に送出し、他方の指定装置側から経路検索コマンドの処理結果を受け取ると、この処理結果を解析して他方の指定装置側からのレイヤ３の経路情報を生成し、生成された他方の指定装置側からのレイヤ３の経路情報から経路上の途絶部の有無を判定するとともに判定回数をカウントし、
判定回数が２回でかつ途絶部がある場合、決定されたレイヤ２の経路情報と始終端装置両側からのレイヤ３の経路情報とを合成して、始終端装置両側から途絶部までの経由装置と経路を決定し、
判定回数が２回でかつ途絶部がない場合、決定されたレイヤ２の経路情報と他方の指定装置側からのレイヤ３の経路情報とを合成して、始終端両装置間のすべての経由装置と経路を決定し、
通信を通じて設備所管箇所監視制御端末装置に系統図を描画し、決定された始終端両装置間のすべての経由装置と経路または決定された始終端装置両側から途絶部までの経由装置と経路のうち一方を経路検索結果として系統図上に表示させることを特徴とするネットワークの経路検索システム。
【請求項９】
各対象装置側からレイヤ２経路情報読み出し結果を受け取り、レイヤ２経路情報読み出し結果を解析してレイヤ２の経路情報を生成すると、生成されたレイヤ２の経路情報に対し各対象装置の優先経路情報を抽出し、抽出されたレイヤ２の優先経路情報からレイヤ２網の構成部に関する経路を決定することを特徴とする請求項８に記載のネットワークの経路検索システム。
【請求項１０】
センターサーバは、設備所管箇所監視制御端末装置から経路検索実行時間または経路検索実行回数とのうち少なくともいずれか１が選択された経路検索の実行を繰り返す経路検索実行繰り返し情報を受け取ると、この繰り返し情報に基づいて、経路検索を繰り返すことを特徴とする請求項８または９に記載のネットワークの経路検索システム。
【請求項１１】
データベースには、外部から通信設備の故障情報が送信されて格納される故障情報データベースと外部から通信設備の予定停止作業情報が送信されて格納される予定停止作業情報データベースとを備えるとともに、
センターサーバは、故障情報データベースから通信設備に関する発生中の故障情報を抽出し、経路検索結果が描画された系統図に故障発生中の通信設備を反映させて表示させるとともに、予定停止作業情報データベースから通信設備に関する現在停止作業中の予定停止作業情報を抽出し、経路検索結果が描画された系統図に現在停止作業中の通信設備を反映させて表示させることを特徴とする請求項８ないし１０のうちいずれか１に記載のネットワークの経路検索システム。
【請求項１２】
センターサーバは、系統図上に描画された経路検索結果が前回と異なる場合、前回の経路検索結果と視覚的に異ならせて描画することを特徴とする請求項１０または１１に記載のネットワークの経路検索システム。
【請求項１３】
センターサーバは、経路検索結果が描画された系統図に故障発生中の通信設備を視覚的に区別して表示させるとともに、経路検索結果が描画された系統図に現在停止作業中の通信設備を視覚的に区別して表示させることを特徴とする請求項１１または１２に記載のネットワークの経路検索システム。
【請求項１４】
通信設備の情報が格納された構成管理データベースと制御コマンド文法が格納された制御コマンド文法データベースと外部から通信設備の故障情報が送信されて格納される故障情報データベースと外部から通信設備の予定停止作業情報が送信されて格納される予定停止作業情報データベースとを備えたデータベースに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバは、設備所管箇所監視制御端末装置から経路検索を繰り返し実行する実行時間または経路検索を繰り返す実行回数のうち少なくともいずれか１が選択された経路検索実行繰り返し情報を受け取ると、この繰り返し処理の実行を決定して繰り返し実行時間または繰り返し回数に基づいて経路検索処理の実行を指示する実行時間・実行回数決定手段と、
実行時間・実行回数決定手段から経路検索処理実行の指示または外部から経路検索処理実行完了情報を受け取ると、これら情報が設備所管箇所監視制御端末装置から受け取った経路検索実行繰り返し情報の指定条件を満たすかどうか判定し、満たしている場合、経路検索処理の実行を終了し、満たしていない場合、実行時間・実行回数決定手段からの処理実行の指示を出力する繰り返し判定手段と、
外部からの指令により構成管理データベースに格納された通信設備の情報に基づいて網構成情報とＩＰアドレス情報と装置情報とを抽出して出力する網構成情報抽出手段と、
設備所管箇所監視制御端末装置から経路検索を求める始終端装置の指定情報を受け取り、繰り返し判定手段から経路検索の処理実行の指示を受け取ると、網構成情報抽出手段を通じて構成管理データベースから指定された始終端両装置間の網構成情報を抽出して出力する始終端装置情報抽出手段と、
始終端装置情報抽出手段から抽出された始終端両装置間の網構成情報に基づいて種別の異なる階層の装置のうちレイヤ２の装置の有無を判定するレイヤ２経路判定手段と、
始終端装置情報抽出手段から抽出された始終端両装置間の網構成情報に基づいて種別の異なる階層の装置のうちレイヤ３の装置の有無を判定するレイヤ３経路判定手段と、
レイヤ２経路判定手段によりレイヤ２の装置を有すると判定された場合、始終端両装置間の網構成情報に含まれるすべてのレイヤ２の装置に対し、コマンド文法と始終端装置情報抽出手段からの網構成情報とに基づくＩＰアドレスからレイヤ２に属する装置のログインコマンドとレイヤ２経路情報照会コマンドとを生成して当該レイヤ２に属する各対象装置に送出するレイヤ２経路情報照会コマンド生成手段と、
当該各対象装置側からレイヤ２経路情報読み出し結果を受け取ると、受け取ったレイヤ２経路情報読み出し結果を解析してレイヤ２の経路情報を取得するとともに得られたレイヤ２の経路情報に対し各対象装置の優先経路情報を抽出して出力するレイヤ２経路情報照会結果解析手段と、
レイヤ２経路情報照会結果解析手段により抽出されたレイヤ２の優先経路情報からレイヤ２網の構成部に関する経路を決定してレイヤ２優先経路情報を出力するレイヤ２経路決定手段と、
レイヤ３経路判定手段によりレイヤ３の装置を有すると判定された場合、制御コマンド文法データベースからレイヤ３の経路検索を行うコマンドを抽出し、コマンド文法と始終端装置情報抽出手段から抽出された始終端両装置のＩＰアドレスとから始端装置または終端装置のうちいずれか一方のログインコマンドと経路検索コマンドとを生成して当該一方の指定装置に送出するとともに、外部から他方の指定装置についてログインコマンドと経路検索コマンドとを生成して当該他方の指定装置に送出するよう指令を受けると、制御コマンド文法データベースと始終端装置情報抽出手段とにより他方の指定装置についてログインコマンドと経路検索コマンドとを生成して当該他方の指定装置に送出する経路検索コマンド生成手段と、
当該一方の指定装置側からまたは他方の指定装置側から経路検索コマンドの処理結果を受け取ると、この結果を解析しこの結果から得られるＩＰアドレスと網構成とからレイヤ３の経路情報を生成して出力する経路検索結果解析手段と、
経路検索結果解析手段より生成されたレイヤ３の経路情報を受け取ると、途絶部の有無を判定するとともに判定回数をカウントする途絶判定手段と、
途絶判定手段から途絶部の有無の判定が第１回目でかつ途絶部有りの判定結果を受け取ると、始終端装置を逆転させ、経路検索コマンド生成手段に始終端両装置のうち他方の指定装置のログインコマンドと経路検索コマンドとを生成して当該他方の指定装置に送出するよう指示する始終端指定装置逆転手段と、
途絶判定手段から判定が第１回目でかつ途絶部がある場合を除く判定結果を受け取ると、
判定回数が１回で途絶部なしの場合、レイヤ２経路決定手段で決定されたレイヤ２優先経路情報と一方の指定装置側からのレイヤ３の経路情報とを合成して、始終端装置間のすべての経由装置と経路を決定し、
判定回数が２回で途絶部がある場合、レイヤ２経路決定手段で決定されたレイヤ２優先経路情報と始終端装置両側からのレイヤ３の経路情報とを合成して、始終端装置両側から途絶部までの経由装置と経路を決定し、
判定回数が２回で途絶部がない場合、レイヤ２経路決定手段で決定されたレイヤ２優先経路情報と他方の指定装置側からのレイヤ３の経路情報とを合成して、始終端両装置間のすべての経由装置と経路を決定し、決定した始終端装置間の経路情報を出力するとともに、繰り返し判定手段に経路検索処理実行完了情報を送出する始終端指定装置間経路決定手段と、
センターサーバ側表示端末と設備所管箇所監視制御端末装置側表示端末とに系統図を描画し、始終端指定装置間経路決定手段から決定された始終端装置間の経路情報を受け取ると、決定された始終端両装置間のすべての経由装置と経路または決定された始終端装置両側から途絶部までの経由装置と経路のうち一方を、経路検索結果として系統図上に表示する系統図上経路描画手段とを備え、
故障情報データベースから通信設備の装置に関する発生中の故障情報を抽出し、経路検索結果が描画された系統図に故障発生中の装置を反映させて表示させるとともに、予定停止作業情報データベースから通信設備の装置に関する現在停止作業中の予定停止作業情報を抽出し、経路検索結果が描画された系統図に現在停止作業中の装置を反映させて表示させることを特徴とするネットワークの経路検索システム。
【請求項１５】
データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、
センターサーバにより、設備所管箇所監視制御端末装置から経路検索を求める始終端両装置の指定情報を受け取ると、データベースに基づいて指定された始終端両装置間の網構成情報を抽出する第１のステップと、
抽出された始終端両装置間の網構成情報から種別の異なる階層の装置の有無を判定する第２のステップと、
第２のステップで、レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して対象となる各装置に送出する第３のステップと、
当該各対象装置側からレイヤ２経路情報読み出し結果を受け取ると、レイヤ２経路情報読み出し結果を解析してレイヤ２の経路情報を抽出する第４のステップと、
第４のステップで生成されたレイヤ２の経路情報からレイヤ２網の構成部に関する経路を決定する第５のステップと、
第２のステップで、レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出する第６のステップと、
当該一方の指定装置側から経路検索コマンドの処理結果を受け取ると、この処理結果を解析しレイヤ３の経路情報を生成する第７のステップと、
第７のステップで生成されたレイヤ３の経路情報から経路上の途絶部の有無を判定するとともに判定回数をカウントする第８のステップと、
第８のステップで判定回数が１回でかつ途絶部がない場合、決定されたレイヤ２の経路情報と一方の指定装置側からのレイヤ３の経路情報とを合成して、始終端装置間のすべての経由装置と経路を決定する第９のステップと、
第８のステップで判定回数が１回でかつ途絶部がある場合、始終端装置を逆転させて、第６のステップに復帰し、他方の指定装置のログインコマンドと経路検索コマンドとを生成して当該他方の指定装置に送出する第１０のステップと、
第８のステップで判定回数が２回でかつ途絶部がある場合、決定されたレイヤ２の経路情報と始終端装置両側からのレイヤ３の経路情報とを合成して、始終端装置両側から途絶部までの経由装置と経路を決定する第１１のステップと、
第８のステップで判定回数が２回でかつ途絶部がない場合、決定されたレイヤ２の経路情報と他方の指定装置側からのレイヤ３の経路情報とを合成して、始終端両装置間のすべての経由装置と経路を決定する第１２のステップと、
通信を通じて設備所管箇所監視制御端末装置に系統図を描画し、第１０のステップないし第１２のステップのうちいずれか１で決定された始終端両装置間のすべての経由装置と経路または決定された始終端装置両側から途絶部までの経由装置と経路のうち一方を、経路検索結果として系統図上に表示させる第１３のステップとを有することを特徴とするネットワークの経路検索方法。
【請求項１６】
各対象装置側からレイヤ２経路情報読み出し結果を受け取り、レイヤ２経路情報読み出し結果を解析してレイヤ２の経路情報を生成すると、生成されたレイヤ２の経路情報に対し各対象装置の優先経路情報を抽出し、抽出されたレイヤ２の優先経路情報からレイヤ２網の構成部に関する経路を決定することを特徴とする請求項１５に記載のネットワークの経路検索方法。
【請求項１７】
設備所管箇所監視制御端末装置から経路検索実行時間または経路検索実行回数とのうち少なくともいずれか１が選択された経路検索の実行を繰り返す経路検索実行繰り返し情報を受け取ると、この繰り返し情報に基づいて、経路検索を繰り返すことを特徴とする請求項１５または１６に記載のネットワークの経路検索方法。
【請求項１８】
データベースには、外部から通信設備の故障情報が送信されて格納される故障情報データベースと外部から通信設備の予定停止作業情報が送信されて格納される予定停止作業情報データベースとを備え、
故障情報データベースから通信設備に関する発生中の故障情報を抽出し、経路検索結果が描画された系統図に故障発生中の通信設備を反映させて表示させるとともに、予定停止作業情報データベースから通信設備に関する現在停止作業中の予定停止作業情報を抽出し、経路検索結果が描画された系統図に現在停止作業中の通信設備を反映させて表示させることを特徴とする請求項１５ないし１７のうちいずれか１に記載のネットワークの経路検索方法。
【請求項１９】
系統図上に描画された経路検索結果が前回と異なる場合、前回の経路検索結果と視覚的に異ならせて描画することを特徴とする請求項１７または１８に記載のネットワークの経路検索方法。
【請求項２０】
経路検索結果が描画された系統図に故障発生中の通信設備を視覚的に区別して表示させるとともに、経路検索結果が描画された系統図に現在停止作業中の通信設備を視覚的に区別して表示させることを特徴とする請求項１８または１９に記載のネットワークの経路検索方法。
【発明の詳細な説明】
【技術分野】
【０００１】
本発明は、ネットワークの経路検索システムとその方法に関するものである。
【背景技術】
【０００２】
一般に、ＩＰネットワークの装置に対し、環境設定（configuration設定）作業等を実施する場合、ＩＰネットワーク運用状況の確認手段として、指定装置間の経路検索をCLI(Command Line User Interface)によるコマンド入力により実施している。伝送路停止作業による指定装置間の経路切替が必要な場合は、装置のポート閉塞によって事前に経路切替を実施している。その際、ポート閉塞による経路切替状況とネットワークの健全性とを確認するため、経路切替前後で経路検索を実施する必要がある。このような経路検索を実施する際には、CLIにてコマンド入力を実施するしか手段がない。このため、ＩＰネットワーク構成およびコマンド入力に高度の知識が必要となるという問題がある。また、経路検索結果からＩＰネットワーク運用状況の異常を判断するには長年の経験が必要となる。また、経路検索を実施する際には、始端装置および終端装置の指定時に、ヒューマンエラーにより指定装置を誤認し、ＩＰネットワーク系統運用に支障をきたす虞がある。経路検索を実施するには、ＩＰネットワーク構成および切替操作の知識が必要となるため、ＩＰネットワークに関わる作業はこれら知識と経験を持つ人間に限られることから、他の業務との調整が必要となり、効率的な作業がしにくい。また、経路検索結果は、ＩＰアドレスで表示されるため、知識と経験がある人間でも誤認する可能性がある。さらに、ＩＰアドレスで表示される経路検索結果とＩＰネットワーク系統図を照合して、ＩＰネットワークの運用状況を確認する必要があり、ＩＰネットワークおよび検索結果の正常性、健全性を確認するのに時間を要するという問題がある。
【０００３】
このため、従来、パケットの通信経路を探索するための経路探索パケットを、ＯＳＩ基本参照モデルのデータリンク層に相当するヘッダ部内に識別情報を設けて構成し、経路探索パケットが中継ノードを通過する度に、各中継ノードは経路探索に関するログ情報をネットワーク監視装置に送信し、ネットワーク監視装置ではそれらのログ情報を編集して分かり易く運用者に表示するようにしたネットワークの経路探索方式が知られている。係る従来の経路探索方式では、ＯＳＩ基本参照モデルのデータリンク層（レイヤ２）以下に相当する機能だけを用いて、ネットワーク内の任意の二つの中継ノードを指定して、その中継ノード間を流れるパケットの経路を探索し、その結果を表示し、Ｌ２ネットワークにおいて中継されるパケットの経路を探索するようにしている（例えば、特許文献１参照）。
【先行技術文献】
【特許文献】
【０００４】
【特許文献１】特開２００４−２０８０６８号公報
【発明の概要】
【発明が解決しようとする課題】
【０００５】
しかしながら、係る従来の経路探索方式では、経路検索コマンド入力により検索を行い、検索結果はログ情報をネットワーク監視装置に送出して表示するようにしている。このため、検索結果を視覚的直感的に把握することが難しく、例えば、検索結果が不良の場合、故障装置やその影響区間を視覚的に捉えにくく、編集されたログ情報から装置や経路を特定しなければならないという問題がある。しかも、設備所管箇所監視制御端末装置側のオペレータが検索結果を得るには、ネットワーク監視装置側に問い合わせる必要がある。また、検索結果をリアルタイムに反映させることが難しいという問題がある。さらに、多数の検索結果が得られた場合、どの経路を優先すべきか、検索結果からネットワーク監視装置側のオペレータが判断しなければならないという問題がある。
【０００６】
本発明は、上記課題を解決するためになされたもので、経路の検索をオペレータによるコマンド入力を回避して、設備所管箇所監視制御端末装置側がＩＰネットワーク系統図や構成図等のＧＵＩ上から視覚的かつ直感的に容易に行うことができ、しかも、経路の検索結果をＩＰネットワーク系統図や構成図等のＧＵＩ上に表示させて直感的に判断することができるネットワークの経路検索システムとその方法を提供することを目的とするものである。
【課題を解決するための手段】
【０００７】
本発明の請求項１に係るネットワークの経路検索システムは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、設備所管箇所監視制御端末装置から経路検索を求める始終端両指定装置を指定した経路検索要求情報が通信を通じてセンターサーバに送信されると、センターサーバは、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、これら生成されたレイヤ２の経路情報とレイヤ３の経路情報とに基づいて、指定された始終端両装置間のすべての経由装置と経路とを合成し、合成された始終端両指定装置間の経路検索結果をセンターサーバ側表示端末に描画された系統図上に表示させるとともに、通信を通じて設備所管箇所監視制御端末装置に描画された系統図上に表示させることを特徴としている。
【０００８】
また、本発明の請求項２に係るネットワークの経路検索システムは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、設備所管箇所監視制御端末装置から経路検索を求める始終端両指定装置を指定した経路検索要求情報が通信を通じてセンターサーバに送信されると、センターサーバが、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、これら生成されたレイヤ２の経路情報とレイヤ３の経路情報とに基づいて、指定された始終端両装置間のすべての経由装置と経路とを合成し、合成された始終端両指定装置間の経路検索結果をセンターサーバ側表示端末に描画された系統図上に表示させるとともに、通信を通じて設備所管箇所監視制御端末装置に描画された系統図上に表示させることを特徴としている。
【０００９】
本発明の請求項３に係るネットワークの経路検索システムは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、データベースの物理回線構成に基づいて系統図を描画し、描画された系統図を設備所管箇所監視制御端末装置に表示させ、設備所管箇所監視制御端末装置から描画された系統図に基づいて経路検索を求める始終端両装置の指定情報を受け取ると、データベースにより指定された始終端装置の一方のＩＰアドレスと装置情報とを抽出し、抽出された装置情報から装置の種別を判定し、当該一方の装置がレイヤ２の場合、ＩＰアドレスに応じてログインコマンドを生成するとともにレイヤ２の経路情報照会コマンドを生成し、生成されたログインコマンドに基づいて当該一方の装置にレイヤ２経路情報照会コマンドを送出し、当該一方の装置側からレイヤ２経路情報読み出し結果を受け取ると、レイヤ２経路情報読み出し結果を解析してレイヤ２の経路情報を得るとともに次の装置を特定し、特定された次の装置について種別の判定からレイヤ２の経路情報取得までを、指定された始終端両装置の他方の装置に達するまで繰り返し、当該一方の装置がレイヤ３の場合、ＩＰアドレスに応じて生成されたログインコマンドを生成するとともに経路検索コマンドを生成し、生成されたログインコマンドに基づいて当該一方の装置に経路検索コマンドを送出し、当該一方の装置側から経路検索結果を受け取ると、経路検索結果を解析してレイヤ３の経路情報を得るとともに次の装置を特定し、特定された次の装置について種別の判定からレイヤ３の経路情報取得までを、指定された始終端両装置の他方の装置に達するまで繰り返し、レイヤ２の経路情報とレイヤ３の経路情報とが指定された始終端両装置間について得られると、これらレイヤ２の経路情報とレイヤ３の経路情報とに基づいて、指定された始終端両装置間のすべての経由装置と経路とを合成し、合成された始終端両装置間の経路検索結果を通信を通じて設備所管箇所監視制御端末装置に描画された系統図上に表示させることを特徴としている。
【００１０】
本発明の請求項４に係るネットワークの経路検索システムは、センターサーバは、設備所管箇所監視制御端末装置から経路検索実行時間または経路検索実行回数とのうち少なくともいずれか１を選択して経路検索の実行を繰り返す経路検索実行繰り返し情報を受け取ると、この繰り返し情報に基づいて、経路検索を繰り返すことを特徴としている。
【００１１】
本発明の請求項５に係るネットワークの経路検索システムは、系統図上に描画された経路検索結果が前回と異なる場合、前回の経路検索結果と視覚的に異ならせて描画することを特徴としている。
【００１２】
本発明の請求項６に係るネットワークの経路検索システムは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、構成管理データベースに基づいて網構成と局内構成とを含む物理回線構成情報を抽出して外部に出力する物理回線構成手段と、物理回線構成手段から出力された物理回線構成情報に基づいて物理回線系統図を描画し、描画された物理回線系統図をセンターサーバ側表示端末装置と設備所管箇所監視制御端末装置とに表示させる物理回線系統図描画手段と、外部からの指令に基づいて構成管理データベースから装置の名称とＩＰアドレスとを抽出して出力する装置登録情報抽出手段と、設備所管箇所監視制御端末装置から描画された物理回線系統図に基づいて経路検索を求める始端装置と終端装置とについて装置指定情報を受け取ると、始終端の指定装置を決定し、始終端の各指定装置の名称を外部に出力する始終端指定装置決定手段と、設備所管箇所監視制御端末装置から経路検索実行時間または経路検索実行回数とのうち少なくともいずれか１が選択された経路検索の実行を繰り返す経路検索実行繰り返し条件情報を受け取ると、選択された実行時間または実行回数のうち少なくともいずれか１の条件を決定して出力する実行時間・実行回数決定手段と、実行時間・実行回数決定手段から決定された繰り返し条件情報を受け取り、外部から経路検索の繰り返しを指示する指令を受け取ると、実行時間・実行回数決定手段からの決定された繰り返し条件情報に基づいて外部からの指令が繰り返し条件を満たすかどうか判定し、満たすと判定した場合、経路検索の処理を終了し、満たさないと判定した場合、外部に経路検索の実行を繰り返すよう指示する繰り返し条件判定手段と、始終端指定装置決定手段から出力された始終端の各指定装置の名称を受け取ると、これら各指定装置の名称を装置登録情報抽出手段に送出し、装置登録情報抽出手段から当該装置のＩＰアドレスを受け取ると、始終端の各指定装置の名称とこれら装置のＩＰアドレスを決定し、これら各指定装置のうち一方の装置のＩＰアドレスを出力するとともに、外部から新たな装置の情報を受け取ると、新たな装置の名称とＩＰアドレスを決定して出力する始終端間装置ＩＰアドレス決定手段と、始終端間装置ＩＰアドレス決定手段から一方の指定装置のＩＰアドレスを受け取ると、構成管理データベースから装置登録情報抽出手段を通じて当該指定装置の装置情報を抽出し、当該指定装置のＩＰアドレスと装置情報とを出力するとともに、繰り返し条件判定手段から経路検索の実行を繰り返す指示を受け取ると、始終端間装置ＩＰアドレス決定手段から新たな装置のＩＰアドレスを受け取り、その新たな装置のＩＰアドレスと装置情報とを出力する始終端間装置情報抽出手段と、始終端間装置情報抽出手段から一方の指定装置のＩＰアドレスと装置情報とを受け取ると、当該指定装置が何層に属するかの種別を判定し、判定された層に応じて種別毎に装置情報とそのＩＰアドレスを出力するとともに、外部から新たな装置についての情報が入力されると、この新たな装置について種別を判定し、判定された層に応じて種別毎に装置情報とそのＩＰアドレスを出力して種別の判定を繰り返し、一方の指定装置から他方の指定装置に達すると、経路合成の指示を出力する装置種別判定手段と、装置種別判定手段により装置の種別がレイヤ２と判定され、レイヤ２の装置情報とそのＩＰアドレスが送られてくると、当該装置のＩＰアドレスからレイヤ２に属する装置のログインコマンドを、制御コマンド文法データベースからレイヤ２の経路情報照会コマンドとをそれぞれ生成し、この生成されたコマンドを通信を通じて当該装置に送出するレイヤ２経路情報照会コマンド生成手段と、当該装置からレイヤ２の経路情報照会コマンドに対する読み出し処理結果が送られてくると、この処理結果を解析して当該装置と接続される経路上の次の装置を割り出し、次の装置の情報を新たな装置の情報として装置種別判定手段に送出するレイヤ２経路情報照会結果解析手段と、装置種別判定手段により装置の種別がレイヤ３と判定され、レイヤ３の装置情報とそのＩＰアドレスが送られてくると、当該装置のＩＰアドレスからレイヤ３に属する装置のログインコマンドを、制御コマンド文法データベースによりレイヤ３の経路検索コマンドをそれぞれ生成し、この生成されたコマンドを通信を通じて当該装置に送出する経路検索コマンド生成手段と、当該装置からレイヤ３の経路検索コマンドに対する経路検索結果が送られてくると、この検索結果を解析して当該装置と接続される経路上の次の装置を割り出し、次の装置の情報を新たな装置の情報として装置種別判定手段に送出する経路検索結果解析手段と、装置種別判定手段から経路合成の指示を受け取ると、レイヤ２の装置の経路とレイヤ３の装置の経路とを合成し、始終端装置間のすべての経由装置と経路とを決定し、この決定された経由装置の情報と経路の情報とを含む経路検索結果を出力する始終端指定装置間経路合成手段と、始終端指定装置間経路合成手段から受け取った経路検索結果を、物理回線系統図描画手段により描画された系統図上に表示するとともに、通信を通じて設備所管箇所監視制御端末装置に描画された系統図上に表示させ、経路検索の繰り返しを繰り返し条件判定手段に指示し、系統図上に描画された経路検索結果が前回と異なる場合、前回の経路検索結果と視覚的に異ならせて描画する系統図上経路描画手段とを備えたことを特徴としている。
【００１３】
本発明の請求項７に係るネットワークの経路検索方法は、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバにより、データベースの物理回線構成に基づいて系統図を描画し、描画された系統図を設備所管箇所監視制御端末装置に表示させる第１のステップと、設備所管箇所監視制御端末装置から表示された系統図に基づいて経路検索を求める始終端両装置の指定情報を受け取ると、データベースに基づいて指定された始終端両装置のうち一方のＩＰアドレスと装置情報とを抽出する第２のステップと、抽出された装置情報から装置の種別を判定する第３のステップと、第３のステップで当該一方の装置がレイヤ２と判定された場合、この判定結果に基づいて当該一方の装置のログインコマンドとレイヤ２経路情報照会コマンドとを生成して当該一方の装置側に送出する第４のステップと、当該一方の装置側からレイヤ２経路情報読み出し結果を受け取ると、レイヤ２経路情報読み出し結果を解析してレイヤ２の経路情報を得るとともにレイヤ２の経路上に接続される次の装置を特定する第５のステップと、第５のステップで特定された次の装置について、第３のステップに復帰して第５のステップまでの工程を繰り返し、指定された始終端両装置の一方の装置から他方の装置に至るまでの始終端両装置間のレイヤ２の経路情報を得る第６のステップと、第３のステップで当該一方の装置がレイヤ３と判定された場合、この判定結果に基づいて当該一方の装置のログインコマンドと経路検索コマンドとを生成して当該一方の装置側に送出する第７のステップと、当該一方の装置側から経路検索結果を受け取ると、経路検索結果を解析してレイヤ３の経路情報を得るとともにレイヤ３の経路上に接続される次の装置を特定する第８のステップと、第８のステップで特定された次の装置について、第３のステップに復帰して第７のステップから第８のステップまでの工程を繰り返し、指定された始終端両装置の一方の装置から他方の装置に至るまでの始終端両装置間のレイヤ３の経路情報を得る第９のステップと、第６のステップで得られた始終端両装置間のレイヤ２の経路情報と第９のステップで得られた始終端両装置間のレイヤ３の経路情報とに基づいて、始終端両装置間のすべての経由装置と経路とを合成し、合成された始終端両装置間の経路検索結果を通信を通じて設備所管箇所監視制御端末装置に描画された系統図上に表示させる第１０のステップとを有することを特徴としている。
【００１４】
本発明の請求項８に係るネットワークの経路検索システムは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、設備所管箇所監視制御端末装置から経路検索を求める始終端両装置の指定情報を受け取ると、データベースに基づいて指定された始終端両装置間の網構成情報を抽出し、抽出された網構成情報から種別の異なる階層の装置の有無を判定し、レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して当該レイヤ２に属する各対象装置に送出し、当該各対象装置側からレイヤ２経路情報読み出し結果を受け取ると、レイヤ２経路情報読み出し結果を解析してレイヤ２の経路情報を生成し、生成されたレイヤ２の経路情報からレイヤ２網の構成部に関する経路を決定し、レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出し、当該一方の指定装置側から経路検索コマンドの処理結果を受け取ると、この処理結果を解析してレイヤ３の経路情報を生成し、生成されたレイヤ３の経路情報から経路上の途絶部の有無を判定するととともに判定回数をカウントし、判定回数が１回でかつ途絶部がない場合、決定されたレイヤ２の経路情報と一方の指定装置側からのレイヤ３の経路情報とを合成して、始終端装置間のすべての経由装置と経路を決定し、判定回数が１回でかつ途絶部がある場合、始終端装置を逆転させて他方の指定装置のログインコマンドと経路検索コマンドとを生成して当該他方の指定装置に送出し、他方の指定装置側から経路検索コマンドの処理結果を受け取ると、この処理結果を解析して他方の指定装置側からのレイヤ３の経路情報を生成し、生成された他方の指定装置側からのレイヤ３の経路情報から経路上の途絶部の有無を判定するとともに判定回数をカウントし、判定回数が２回でかつ途絶部がある場合、決定されたレイヤ２の経路情報と始終端装置両側からのレイヤ３の経路情報とを合成して、始終端装置両側から途絶部までの経由装置と経路を決定し、判定回数が２回でかつ途絶部がない場合、決定されたレイヤ２の経路情報と他方の指定装置側からのレイヤ３の経路情報とを合成して、始終端両装置間のすべての経由装置と経路を決定し、通信を通じて設備所管箇所監視制御端末装置に系統図を描画し、決定された始終端両装置間のすべての経由装置と経路または決定された始終端装置両側から途絶部までの経由装置と経路のうち一方を経路検索結果として系統図上に表示させることを特徴としている。
【００１５】
本発明の請求項９に係るネットワークの経路検索システムは、各対象装置側からレイヤ２経路情報読み出し結果を受け取り、レイヤ２経路情報読み出し結果を解析してレイヤ２の経路情報を生成すると、生成されたレイヤ２の経路情報に対し各対象装置の優先経路情報を抽出し、抽出されたレイヤ２の優先経路情報からレイヤ２網の構成部に関する経路を決定することを特徴としている。
【００１６】
本発明の請求項１０に係るネットワークの経路検索システムは、センターサーバは、設備所管箇所監視制御端末装置から経路検索実行時間または経路検索実行回数とのうち少なくともいずれか１が選択された経路検索の実行を繰り返す経路検索実行繰り返し情報を受け取ると、この繰り返し情報に基づいて、経路検索を繰り返すことを特徴としている。
【００１７】
本発明の請求項１１に係るネットワークの経路検索システムは、データベースには、外部から通信設備の故障情報が送信されて格納される故障情報データベースと外部から通信設備の予定停止作業情報が送信されて格納される予定停止作業情報データベースとを備えるとともに、センターサーバは、故障情報データベースから通信設備に関する発生中の故障情報を抽出し、経路検索結果が描画された系統図に故障発生中の通信設備を反映させて表示させるとともに、予定停止作業情報データベースから通信設備に関する現在停止作業中の予定停止作業情報を抽出し、経路検索結果が描画された系統図に現在停止作業中の通信設備を反映させて表示させることを特徴としている。
【００１８】
本発明の請求項１２に係るネットワークの経路検索システムは、センターサーバは、系統図上に描画された経路検索結果が前回と異なる場合、前回の経路検索結果と視覚的に異ならせて描画することを特徴としている。
【００１９】
本発明の請求項１３に係るネットワークの経路検索システムは、センターサーバは、経路検索結果が描画された系統図に故障発生中の通信設備を視覚的に区別して表示させるとともに、経路検索結果が描画された系統図に現在停止作業中の通信設備を視覚的に区別して表示させることを特徴としている。
【００２０】
本発明の請求項１４に係るネットワークの経路検索システムは、通信設備の情報が格納された構成管理データベースと制御コマンド文法が格納された制御コマンド文法データベースと外部から通信設備の故障情報が送信されて格納される故障情報データベースと外部から通信設備の予定停止作業情報が送信されて格納される予定停止作業情報データベースとを備えたデータベースに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、設備所管箇所監視制御端末装置から経路検索を繰り返し実行する実行時間または経路検索を繰り返す実行回数のうち少なくともいずれか１が選択された経路検索実行繰り返し情報を受け取ると、この繰り返し処理の実行を決定して繰り返し実行時間または繰り返し回数に基づいて経路検索処理の実行を指示する実行時間・実行回数決定手段と、実行時間・実行回数決定手段から経路検索処理実行の指示または外部から経路検索処理実行完了情報を受け取ると、これら情報が設備所管箇所監視制御端末装置から受け取った経路検索実行繰り返し情報の指定条件を満たすかどうか判定し、満たしている場合、経路検索処理の実行を終了し、満たしていない場合、実行時間・実行回数決定手段からの処理実行の指示を出力する繰り返し判定手段と、外部からの指令により構成管理データベースに格納された通信設備の情報に基づいて網構成情報とＩＰアドレス情報と装置情報とを抽出して出力する網構成情報抽出手段と、設備所管箇所監視制御端末装置から経路検索を求める始終端装置の指定情報を受け取り、繰り返し判定手段から経路検索の処理実行の指示を受け取ると、網構成情報抽出手段を通じて構成管理データベースから指定された始終端両装置間の網構成情報を抽出して出力する始終端装置情報抽出手段と、始終端装置情報抽出手段から抽出された始終端両装置間の網構成情報に基づいて種別の異なる階層の装置のうちレイヤ２の装置の有無を判定するレイヤ２経路判定手段と、始終端装置情報抽出手段から抽出された始終端両装置間の網構成情報に基づいて種別の異なる階層の装置のうちレイヤ３の装置の有無を判定するレイヤ３経路判定手段と、レイヤ２経路判定手段によりレイヤ２の装置を有すると判定された場合、始終端両装置間の網構成情報に含まれるすべてのレイヤ２の装置に対し、コマンド文法と始終端装置情報抽出手段からの網構成情報とに基づくＩＰアドレスからレイヤ２に属する装置のログインコマンドとレイヤ２経路情報照会コマンドとを生成して当該レイヤ２に属する各対象装置に送出するレイヤ２経路情報照会コマンド生成手段と、当該各対象装置側からレイヤ２経路情報読み出し結果を受け取ると、受け取ったレイヤ２経路情報読み出し結果を解析してレイヤ２の経路情報を取得するとともに得られたレイヤ２の経路情報に対し各対象装置の優先経路情報を抽出して出力するレイヤ２経路情報照会結果解析手段と、レイヤ２経路情報照会結果解析手段により抽出されたレイヤ２の優先経路情報からレイヤ２網の構成部に関する経路を決定してレイヤ２優先経路情報を出力するレイヤ２経路決定手段と、レイヤ３経路判定手段によりレイヤ３の装置を有すると判定された場合、制御コマンド文法データベースからレイヤ３の経路検索を行うコマンドを抽出し、コマンド文法と始終端装置情報抽出手段から抽出された始終端両装置のＩＰアドレスとから始端装置または終端装置のうちいずれか一方のログインコマンドと経路検索コマンドとを生成して当該一方の指定装置に送出するとともに、外部から他方の指定装置についてログインコマンドと経路検索コマンドとを生成して当該他方の指定装置に送出するよう指令を受けると、制御コマンド文法データベースと始終端装置情報抽出手段とにより他方の指定装置についてログインコマンドと経路検索コマンドとを生成して当該他方の指定装置に送出する経路検索コマンド生成手段と、当該一方の指定装置側からまたは他方の指定装置側から経路検索コマンドの処理結果を受け取ると、この結果を解析しこの結果から得られるＩＰアドレスと網構成とからレイヤ３の経路情報を生成して出力する経路検索結果解析手段と、経路検索結果解析手段より生成されたレイヤ３の経路情報を受け取ると、途絶部の有無を判定するとともに判定回数をカウントする途絶判定手段と、途絶判定手段から途絶部の有無の判定が第１回目でかつ途絶部有りの判定結果を受け取ると、始終端装置を逆転させ、経路検索コマンド生成手段に始終端両装置のうち他方の指定装置のログインコマンドと経路検索コマンドとを生成して当該他方の指定装置に送出するよう指示する始終端指定装置逆転手段と、途絶判定手段から判定が第１回目でかつ途絶部がある場合を除く判定結果を受け取ると、判定回数が１回で途絶部なしの場合、レイヤ２経路決定手段で決定されたレイヤ２優先経路情報と一方の指定装置側からのレイヤ３の経路情報とを合成して、始終端装置間のすべての経由装置と経路を決定し、判定回数が２回で途絶部がある場合、レイヤ２経路決定手段で決定されたレイヤ２優先経路情報と始終端装置両側からのレイヤ３の経路情報とを合成して、始終端装置両側から途絶部までの経由装置と経路を決定し、判定回数が２回で途絶部がない場合、レイヤ２経路決定手段で決定されたレイヤ２優先経路情報と他方の指定装置側からのレイヤ３の経路情報とを合成して、始終端両装置間のすべての経由装置と経路を決定し、決定した始終端装置間の経路情報を出力するとともに、繰り返し判定手段に経路検索処理実行完了情報を送出する始終端指定装置間経路決定手段と、センターサーバ側表示端末と設備所管箇所監視制御端末装置側表示端末とに系統図を描画し、始終端指定装置間経路決定手段から決定された始終端装置間の経路情報を受け取ると、決定された始終端両装置間のすべての経由装置と経路または決定された始終端装置両側から途絶部までの経由装置と経路のうち一方を、経路検索結果として系統図上に表示する系統図上経路描画手段とを備え、故障情報データベースから通信設備の装置に関する発生中の故障情報を抽出し、経路検索結果が描画された系統図に故障発生中の装置を反映させて表示させるとともに、予定停止作業情報データベースから通信設備の装置に関する現在停止作業中の予定停止作業情報を抽出し、経路検索結果が描画された系統図に現在停止作業中の装置を反映させて表示させることを特徴としている。
【００２１】
本発明の請求項１５に係るネットワークの経路検索方法は、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバにより、設備所管箇所監視制御端末装置から経路検索を求める始終端両装置の指定情報を受け取ると、データベースに基づいて指定された始終端両装置間の網構成情報を抽出する第１のステップと、抽出された始終端両装置間の網構成情報から種別の異なる階層の装置の有無を判定する第２のステップと、第２のステップで、レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して対象となる各装置に送出する第３のステップと、当該各対象装置側からレイヤ２経路情報読み出し結果を受け取ると、レイヤ２経路情報読み出し結果を解析してレイヤ２の経路情報を抽出する第４のステップと、第４のステップで生成されたレイヤ２の経路情報からレイヤ２網の構成部に関する経路を決定する第５のステップと、第２のステップで、レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出する第６のステップと、当該一方の指定装置側から経路検索コマンドの処理結果を受け取ると、この処理結果を解析しレイヤ３の経路情報を生成する第７のステップと、第７のステップで生成されたレイヤ３の経路情報から経路上の途絶部の有無を判定するとともに判定回数をカウントする第８のステップと、第８のステップで判定回数が１回でかつ途絶部がない場合、決定されたレイヤ２の経路情報と一方の指定装置側からのレイヤ３の経路情報とを合成して、始終端装置間のすべての経由装置と経路を決定する第９のステップと、第８のステップで判定回数が１回でかつ途絶部がある場合、始終端装置を逆転させて、第６のステップに復帰し、他方の指定装置のログインコマンドと経路検索コマンドとを生成して当該他方の指定装置に送出する第１０のステップと、第８のステップで判定回数が２回でかつ途絶部がある場合、決定されたレイヤ２の経路情報と始終端装置両側からのレイヤ３の経路情報とを合成して、始終端装置両側から途絶部までの経由装置と経路を決定する第１１のステップと、第８のステップで判定回数が２回でかつ途絶部がない場合、決定されたレイヤ２の経路情報と他方の指定装置側からのレイヤ３の経路情報とを合成して、始終端両装置間のすべての経由装置と経路を決定する第１２のステップと、通信を通じて設備所管箇所監視制御端末装置に系統図を描画し、第１０のステップないし第１２のステップのうちいずれか１で決定された始終端両装置間のすべての経由装置と経路または決定された始終端装置両側から途絶部までの経由装置と経路のうち一方を、経路検索結果として系統図上に表示させる第１３のステップとを有することを特徴としている。
【００２２】
本発明の請求項１６に係るネットワークの経路検索方法は、各対象装置側からレイヤ２経路情報読み出し結果を受け取り、レイヤ２経路情報読み出し結果を解析してレイヤ２の経路情報を生成すると、生成されたレイヤ２の経路情報に対し各対象装置の優先経路情報を抽出し、抽出されたレイヤ２の優先経路情報からレイヤ２網の構成部に関する経路を決定することを特徴としている。
【００２３】
本発明の請求項１７に係るネットワークの経路検索方法は、設備所管箇所監視制御端末装置から経路検索実行時間または経路検索実行回数とのうち少なくともいずれか１が選択された経路検索の実行を繰り返す経路検索実行繰り返し情報を受け取ると、この繰り返し情報に基づいて、経路検索を繰り返すことを特徴としている。
【００２４】
本発明の請求項１８に係るネットワークの経路検索方法は、データベースには、外部から通信設備の故障情報が送信されて格納される故障情報データベースと外部から通信設備の予定停止作業情報が送信されて格納される予定停止作業情報データベースとを備え、故障情報データベースから通信設備に関する発生中の故障情報を抽出し、経路検索結果が描画された系統図に故障発生中の通信設備を反映させて表示させるとともに、予定停止作業情報データベースから通信設備に関する現在停止作業中の予定停止作業情報を抽出し、経路検索結果が描画された系統図に現在停止作業中の通信設備を反映させて表示させることを特徴としている。
【００２５】
本発明の請求項１９に係るネットワークの経路検索方法は、系統図上に描画された経路検索結果が前回と異なる場合、前回の経路検索結果と視覚的に異ならせて描画することを特徴としている。
【００２６】
本発明の請求項２０に係るネットワークの経路検索方法は、経路検索結果が描画された系統図に故障発生中の通信設備を視覚的に区別して表示させるとともに、経路検索結果が描画された系統図に現在停止作業中の通信設備を視覚的に区別して表示させることを特徴としている。
【発明の効果】
【００２７】
本発明の請求項１に係るネットワークの経路検索システムでは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、設備所管箇所監視制御端末装置から経路検索を求める始終端両指定装置を指定した経路検索要求情報が通信を通じてセンターサーバに送信されると、センターサーバは、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、これら生成されたレイヤ２の経路情報とレイヤ３の経路情報とに基づいて、指定された始終端両装置間のすべての経由装置と経路とを合成し、合成された始終端両指定装置間の経路検索結果を通信を通じて設備所管箇所監視制御端末装置に描画された系統図上に表示させるようにしたので、経路の検索を、設備所管箇所監視制御端末装置側がＩＰネットワーク系統図や構成図等のＧＵＩ上から視覚的かつ直感的に容易に行うことができ、しかも、経路の検索結果をＩＰネットワーク系統図や構成図等のＧＵＩ上に表示させて直感的に判断することができる。このため、管理運用作業の効率が向上する。オペレータのコマンド入力によらず経路検索を行うことができ、経路検索を正確に行うことができる。
【００２８】
本発明の請求項２に係るネットワークの経路検索方法では、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、設備所管箇所監視制御端末装置から経路検索を求める始終端両指定装置を指定した経路検索要求情報が通信を通じてセンターサーバに送信されると、センターサーバが、データベースに基づいて始終端両指定装置のうちいずれか一方のＩＰアドレスと装置情報または始終端両指定装置間の網構成情報を抽出し、抽出された情報に基づいて当該装置が何層に属するか装置の種別を判定し、当該装置がレイヤ２の装置の場合、当該装置へのログインコマンドとレイヤ２の経路情報照会コマンドとを生成して、当該装置に送信し、当該装置からレイヤ２の経路情報読み出し結果を受け取ると、そのレイヤ２経路情報読み出し結果を解析してレイヤ２の経路情報を生成し、このレイヤ２の経路情報の生成を一方の指定装置から他方の指定装置に達するまで繰り返し、当該装置がレイヤ３の場合、当該装置へのログインコマンドと経路検索コマンドとを生成して、当該装置に送信し、当該装置から経路検索結果を受け取ると、その経路検索結果を解析してレイヤ３の経路情報を生成し、このレイヤ３の経路情報の生成を一方の指定装置から他方の指定装置に達するまで繰り返し、これら生成されたレイヤ２の経路情報とレイヤ３の経路情報とに基づいて、指定された始終端両装置間のすべての経由装置と経路とを合成し、合成された始終端両指定装置間の経路検索結果を通信を通じて設備所管箇所監視制御端末装置に描画された系統図上に表示させるようにしたので、経路の検索を、コマンド入力によらず設備所管箇所監視制御端末装置側がＩＰネットワーク系統図や構成図等のＧＵＩ上から視覚的かつ直感的に容易に行うことができ、しかも、経路の検索結果をＩＰネットワーク系統図や構成図等のＧＵＩ上に表示させて直感的に判断することができる。このため、管理運用作業の効率が向上する。オペレータのコマンド入力によらず経路検索を行うことができ、経路検索を正確に行うことができる。
【００２９】
本発明の請求項３に係るネットワークの経路検索システムでは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、データベースの物理回線構成に基づいて系統図を描画し、描画された系統図を設備所管箇所監視制御端末装置に表示させ、設備所管箇所監視制御端末装置から描画された系統図に基づいて経路検索を求める始終端両装置の指定情報を受け取ると、データベースにより指定された始終端装置の一方のＩＰアドレスと装置情報とを抽出し、抽出された装置情報から装置の種別を判定し、当該一方の装置がレイヤ２の場合、ＩＰアドレスに応じてログインコマンドを生成するとともにレイヤ２の経路情報照会コマンドを生成し、生成されたログインコマンドに基づいて当該一方の装置にレイヤ２経路情報照会コマンドを送出し、当該一方の装置側からレイヤ２経路情報読み出し結果を受け取ると、レイヤ２経路情報読み出し結果を解析してレイヤ２の経路情報を得るとともに次の装置を特定し、特定された次の装置について種別の判定からレイヤ２の経路情報取得までを、指定された始終端両装置の他方の装置に達するまで繰り返し、当該一方の装置がレイヤ３の場合、ＩＰアドレスに応じて生成されたログインコマンドを生成するとともに経路検索コマンドを生成し、生成されたログインコマンドに基づいて当該一方の装置に経路検索コマンドを送出し、当該一方の装置側から経路検索結果を受け取ると、経路検索結果を解析してレイヤ３の経路情報を得るとともに次の装置を特定し、特定された次の装置について種別の判定からレイヤ３の経路情報取得までを、指定された始終端両装置の他方の装置に達するまで繰り返し、レイヤ２の経路情報とレイヤ３の経路情報とが指定された始終端両装置間について得られると、これらレイヤ２の経路情報とレイヤ３の経路情報とに基づいて、指定された始終端両装置間のすべての経由装置と経路とを合成し、合成された始終端両装置間の経路検索結果を通信を通じて設備所管箇所監視制御端末装置に描画された系統図上に表示させるようにしたので、レイヤ２の装置の経路情報生成やレイヤ３の装置の経路情報生成にあたり、次の装置を順次特定できるので、経路検索を迅速かつ正確に行うことができ、作業効率が向上する。
【００３０】
本発明の請求項６に係るネットワークの経路検索システムでは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、構成管理データベースに基づいて網構成と局内構成とを含む物理回線構成情報を抽出して外部に出力する物理回線構成手段と、物理回線構成手段から出力された物理回線構成情報に基づいて物理回線系統図を描画し、描画された物理回線系統図をセンターサーバ側表示端末装置と設備所管箇所監視制御端末装置とに表示させる物理回線系統図描画手段と、外部からの指令に基づいて構成管理データベースから装置の名称とＩＰアドレスとを抽出して出力する装置登録情報抽出手段と、設備所管箇所監視制御端末装置から描画された物理回線系統図に基づいて経路検索を求める始端装置と終端装置とについて装置指定情報を受け取ると、始終端の指定装置を決定し、始終端の各指定装置の名称を外部に出力する始終端指定装置決定手段と、設備所管箇所監視制御端末装置から経路検索実行時間または経路検索実行回数とのうち少なくともいずれか１が選択された経路検索の実行を繰り返す経路検索実行繰り返し条件情報を受け取ると、選択された実行時間または実行回数のうち少なくともいずれか１の条件を決定して出力する実行時間・実行回数決定手段と、実行時間・実行回数決定手段から決定された繰り返し条件情報を受け取り、外部から経路検索の繰り返しを指示する指令を受け取ると、実行時間・実行回数決定手段からの決定された繰り返し条件情報に基づいて外部からの指令が繰り返し条件を満たすかどうか判定し、満たすと判定した場合、経路検索の処理を終了し、満たさないと判定した場合、外部に経路検索の実行を繰り返すよう指示する繰り返し条件判定手段と、始終端指定装置決定手段から出力された始終端の各指定装置の名称を受け取ると、これら各指定装置の名称を装置登録情報抽出手段に送出し、装置登録情報抽出手段から当該装置のＩＰアドレスを受け取ると、始終端の各指定装置の名称とこれら装置のＩＰアドレスを決定し、これら各指定装置のうち一方の装置のＩＰアドレスを出力するとともに、外部から新たな装置の情報を受け取ると、新たな装置の名称とＩＰアドレスを決定して出力する始終端間装置ＩＰアドレス決定手段と、始終端間装置ＩＰアドレス決定手段から一方の指定装置のＩＰアドレスを受け取ると、構成管理データベースから装置登録情報抽出手段を通じて当該指定装置の装置情報を抽出し、当該指定装置のＩＰアドレスと装置情報とを出力するとともに、繰り返し条件判定手段から経路検索の実行を繰り返す指示を受け取ると、始終端間装置ＩＰアドレス決定手段から新たな装置のＩＰアドレスを受け取り、その新たな装置のＩＰアドレスと装置情報とを出力する始終端間装置情報抽出手段と、始終端間装置情報抽出手段から一方の指定装置のＩＰアドレスと装置情報とを受け取ると、当該指定装置が何層に属するかの種別を判定し、判定された層に応じて種別毎に装置情報とそのＩＰアドレスを出力するとともに、外部から新たな装置についての情報が入力されると、この新たな装置について種別を判定し、判定された層に応じて種別毎に装置情報とそのＩＰアドレスを出力して種別の判定を繰り返し、一方の指定装置から他方の指定装置に達すると、経路合成の指示を出力する装置種別判定手段と、装置種別判定手段により装置の種別がレイヤ２と判定され、レイヤ２の装置情報とそのＩＰアドレスが送られてくると、当該装置のＩＰアドレスからレイヤ２に属する装置のログインコマンドを、制御コマンド文法データベースからレイヤ２の経路情報照会コマンドとをそれぞれ生成し、この生成されたコマンドを通信を通じて当該装置に送出するレイヤ２経路情報照会コマンド生成手段と、当該装置からレイヤ２の経路情報照会コマンドに対する読み出し処理結果が送られてくると、この処理結果を解析して当該装置と接続される経路上の次の装置を割り出し、次の装置の情報を新たな装置の情報として装置種別判定手段に送出するレイヤ２経路情報照会結果解析手段と、装置種別判定手段により装置の種別がレイヤ３と判定され、レイヤ３の装置情報とそのＩＰアドレスが送られてくると、当該装置のＩＰアドレスからレイヤ３に属する装置のログインコマンドを、制御コマンド文法データベースによりレイヤ３の経路検索コマンドをそれぞれ生成し、この生成されたコマンドを通信を通じて当該装置に送出する経路検索コマンド生成手段と、当該装置からレイヤ３の経路検索コマンドに対する経路検索結果が送られてくると、この検索結果を解析して当該装置と接続される経路上の次の装置を割り出し、次の装置の情報を新たな装置の情報として装置種別判定手段に送出する経路検索結果解析手段と、装置種別判定手段から経路合成の指示を受け取ると、レイヤ２の装置の経路とレイヤ３の装置の経路とを合成し、始終端装置間のすべての経由装置と経路とを決定し、この決定された経由装置の情報と経路の情報とを含む経路検索結果を出力する始終端指定装置間経路合成手段と、始終端指定装置間経路合成手段から受け取った経路検索結果を、物理回線系統図描画手段により描画された系統図上に表示するとともに、通信を通じて設備所管箇所監視制御端末装置に描画された系統図上に表示させ、経路検索の繰り返しを繰り返し条件判定手段に指示し、系統図上に描画された経路検索結果が前回と異なる場合、前回の経路検索結果と視覚的に異ならせて描画する系統図上経路描画手段とを備えるようにしたので、経路検索をリアルタイムで行うことができ、しかも、前回の検索結果と異ならせて表示しているので、視覚的かつ直感的にネットワームの状況を把握することができる。
【００３１】
本発明の請求項７に係るネットワークの経路検索方法では、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバにより、データベースの物理回線構成に基づいて系統図を描画し、描画された系統図を設備所管箇所監視制御端末装置に表示させる第１のステップと、設備所管箇所監視制御端末装置から表示された系統図に基づいて経路検索を求める始終端両装置の指定情報を受け取ると、データベースに基づいて指定された始終端両装置のうち一方のＩＰアドレスと装置情報とを抽出する第２のステップと、抽出された装置情報から装置の種別を判定する第３のステップと、第３のステップで当該一方の装置がレイヤ２と判定された場合、この判定結果に基づいて当該一方の装置のログインコマンドとレイヤ２経路情報照会コマンドとを生成して当該一方の装置側に送出する第４のステップと、当該一方の装置側からレイヤ２経路情報読み出し結果を受け取ると、レイヤ２経路情報読み出し結果を解析してレイヤ２の経路情報を得るとともにレイヤ２の経路上に接続される次の装置を特定する第５のステップと、第５のステップで特定された次の装置について、第３のステップに復帰して第５のステップまでの工程を繰り返し、指定された始終端両装置の一方の装置から他方の装置に至るまでの始終端両装置間のレイヤ２の経路情報を得る第６のステップと、第３のステップで当該一方の装置がレイヤ３と判定された場合、この判定結果に基づいて当該一方の装置のログインコマンドと経路検索コマンドとを生成して当該一方の装置側に送出する第７のステップと、当該一方の装置側から経路検索結果を受け取ると、経路検索結果を解析してレイヤ３の経路情報を得るとともにレイヤ３の経路上に接続される次の装置を特定する第８のステップと、第８のステップで特定された次の装置について、第３のステップに復帰して第７のステップから第８のステップまでの工程を繰り返し、指定された始終端両装置の一方の装置から他方の装置に至るまでの始終端両装置間のレイヤ３の経路情報を得る第９のステップと、第６のステップで得られた始終端両装置間のレイヤ２の経路情報と第９のステップで得られた始終端両装置間のレイヤ３の経路情報とに基づいて、始終端両装置間のすべての経由装置と経路とを合成し、合成された始終端両装置間の経路検索結果を通信を通じて設備所管箇所監視制御端末装置に描画された系統図上に表示させる第１０のステップとを有するようにしたので、レイヤ２の装置の経路情報生成やレイヤ３の装置の経路情報生成にあたり、照会結果や検索結果から次の装置を順次特定することができ、経路検索を迅速かつ正確に行うことができ、作業効率が向上する。
【００３２】
本発明の請求項８に係るネットワークの経路検索システムでは、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、設備所管箇所監視制御端末装置から経路検索を求める始終端両装置の指定情報を受け取ると、データベースに基づいて指定された始終端両装置間の網構成情報を抽出し、抽出された網構成情報から種別の異なる階層の装置の有無を判定し、レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して当該レイヤ２に属する各対象装置に送出し、当該各対象装置側からレイヤ２経路情報読み出し結果を受け取ると、レイヤ２経路情報読み出し結果を解析してレイヤ２の経路情報を生成し、生成されたレイヤ２の経路情報からレイヤ２網の構成部に関する経路を決定し、レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出し、当該一方の指定装置側から経路検索コマンドの処理結果を受け取ると、この処理結果を解析してレイヤ３の経路情報を生成し、生成されたレイヤ３の経路情報から経路上の途絶部の有無を判定するととともに判定回数をカウントし、判定回数が１回でかつ途絶部がない場合、決定されたレイヤ２の経路情報と一方の指定装置側からのレイヤ３の経路情報とを合成して、始終端装置間のすべての経由装置と経路を決定し、判定回数が１回でかつ途絶部がある場合、始終端装置を逆転させて他方の指定装置のログインコマンドと経路検索コマンドとを生成して当該他方の指定装置に送出し、他方の指定装置側から経路検索コマンドの処理結果を受け取ると、この処理結果を解析して他方の指定装置側からのレイヤ３の経路情報を生成し、生成された他方の指定装置側からのレイヤ３の経路情報から経路上の途絶部の有無を判定するとともに判定回数をカウントし、判定回数が２回でかつ途絶部がある場合、決定されたレイヤ２の経路情報と始終端装置両側からのレイヤ３の経路情報とを合成して、始終端装置両側から途絶部までの経由装置と経路を決定し、判定回数が２回でかつ途絶部がない場合、決定されたレイヤ２の経路情報と他方の指定装置側からのレイヤ３の経路情報とを合成して、始終端両装置間のすべての経由装置と経路を決定し、通信を通じて設備所管箇所監視制御端末装置に系統図を描画し、決定された始終端両装置間のすべての経由装置と経路または決定された始終端装置両側から途絶部までの経由装置と経路のうち一方を経路検索結果として系統図上に表示させるようにしたので、経路検索において始終端両指定装置間にたとえ途絶部があっても、始終端両指定装置の両側から途絶部までの経路を検索することができるので、よりきめ細かく正確な経路検索を行うことができる。
【００３３】
本発明の請求項１４に係るネットワークの経路検索システムでは、通信設備の情報が格納された構成管理データベースと制御コマンド文法が格納された制御コマンド文法データベースと外部から通信設備の故障情報が送信されて格納される故障情報データベースと外部から通信設備の予定停止作業情報が送信されて格納される予定停止作業情報データベースとを備えたデータベースに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、設備所管箇所監視制御端末装置から経路検索を繰り返し実行する実行時間または経路検索を繰り返す実行回数のうち少なくともいずれか１が選択された経路検索実行繰り返し情報を受け取ると、この繰り返し処理の実行を決定して繰り返し実行時間または繰り返し回数に基づいて経路検索処理の実行を指示する実行時間・実行回数決定手段と、実行時間・実行回数決定手段から経路検索処理実行の指示または外部から経路検索処理実行完了情報を受け取ると、これら情報が設備所管箇所監視制御端末装置から受け取った経路検索実行繰り返し情報の指定条件を満たすかどうか判定し、満たしている場合、経路検索処理の実行を終了し、満たしていない場合、実行時間・実行回数決定手段からの処理実行の指示を出力する繰り返し判定手段と、外部からの指令により構成管理データベースに格納された通信設備の情報に基づいて網構成情報とＩＰアドレス情報と装置情報とを抽出して出力する網構成情報抽出手段と、設備所管箇所監視制御端末装置から経路検索を求める始終端装置の指定情報を受け取り、繰り返し判定手段から経路検索の処理実行の指示を受け取ると、網構成情報抽出手段を通じて構成管理データベースから指定された始終端両装置間の網構成情報を抽出して出力する始終端装置情報抽出手段と、始終端装置情報抽出手段から抽出された始終端両装置間の網構成情報に基づいて種別の異なる階層の装置のうちレイヤ２の装置の有無を判定するレイヤ２経路判定手段と、始終端装置情報抽出手段から抽出された始終端両装置間の網構成情報に基づいて種別の異なる階層の装置のうちレイヤ３の装置の有無を判定するレイヤ３経路判定手段と、レイヤ２経路判定手段によりレイヤ２の装置を有すると判定された場合、始終端両装置間の網構成情報に含まれるすべてのレイヤ２の装置に対し、コマンド文法と始終端装置情報抽出手段からの網構成情報とに基づくＩＰアドレスからレイヤ２に属する装置のログインコマンドとレイヤ２経路情報照会コマンドとを生成して当該レイヤ２に属する各対象装置に送出するレイヤ２経路情報照会コマンド生成手段と、当該各対象装置側からレイヤ２経路情報読み出し結果を受け取ると、受け取ったレイヤ２経路情報読み出し結果を解析してレイヤ２の経路情報を取得するとともに得られたレイヤ２の経路情報に対し各対象装置の優先経路情報を抽出して出力するレイヤ２経路情報照会結果解析手段と、レイヤ２経路情報照会結果解析手段により抽出されたレイヤ２の優先経路情報からレイヤ２網の構成部に関する経路を決定してレイヤ２優先経路情報を出力するレイヤ２経路決定手段と、レイヤ３経路判定手段によりレイヤ３の装置を有すると判定された場合、制御コマンド文法データベースからレイヤ３の経路検索を行うコマンドを抽出し、コマンド文法と始終端装置情報抽出手段から抽出された始終端両装置のＩＰアドレスとから始端装置または終端装置のうちいずれか一方のログインコマンドと経路検索コマンドとを生成して当該一方の指定装置に送出するとともに、外部から他方の指定装置についてログインコマンドと経路検索コマンドとを生成して当該他方の指定装置に送出するよう指令を受けると、制御コマンド文法データベースと始終端装置情報抽出手段とにより他方の指定装置についてログインコマンドと経路検索コマンドとを生成して当該他方の指定装置に送出する経路検索コマンド生成手段と、当該一方の指定装置側からまたは他方の指定装置側から経路検索コマンドの処理結果を受け取ると、この結果を解析しこの結果から得られるＩＰアドレスと網構成とからレイヤ３の経路情報を生成して出力する経路検索結果解析手段と、経路検索結果解析手段より生成されたレイヤ３の経路情報を受け取ると、途絶部の有無を判定するとともに判定回数をカウントする途絶判定手段と、途絶判定手段から途絶部の有無の判定が第１回目でかつ途絶部有りの判定結果を受け取ると、始終端装置を逆転させ、経路検索コマンド生成手段に始終端両装置のうち他方の指定装置のログインコマンドと経路検索コマンドとを生成して当該他方の指定装置に送出するよう指示する始終端指定装置逆転手段と、途絶判定手段から判定が第１回目でかつ途絶部がある場合を除く判定結果を受け取ると、判定回数が１回で途絶部なしの場合、レイヤ２経路決定手段で決定されたレイヤ２優先経路情報と一方の指定装置側からのレイヤ３の経路情報とを合成して、始終端装置間のすべての経由装置と経路を決定し、判定回数が２回で途絶部がある場合、レイヤ２経路決定手段で決定されたレイヤ２優先経路情報と始終端装置両側からのレイヤ３の経路情報とを合成して、始終端装置両側から途絶部までの経由装置と経路を決定し、判定回数が２回で途絶部がない場合、レイヤ２経路決定手段で決定されたレイヤ２優先経路情報と他方の指定装置側からのレイヤ３の経路情報とを合成して、始終端両装置間のすべての経由装置と経路を決定し、決定した始終端装置間の経路情報を出力するとともに、繰り返し判定手段に経路検索処理実行完了情報を送出する始終端指定装置間経路決定手段と、センターサーバ側表示端末と設備所管箇所監視制御端末装置側表示端末とに系統図を描画し、始終端指定装置間経路決定手段から決定された始終端装置間の経路情報を受け取ると、決定された始終端両装置間のすべての経由装置と経路または決定された始終端装置両側から途絶部までの経由装置と経路のうち一方を、経路検索結果として系統図上に表示する系統図上経路描画手段とを備え、故障情報データベースから通信設備の装置に関する発生中の故障情報を抽出し、経路検索結果が描画された系統図に故障発生中の装置を反映させて表示させるとともに、予定停止作業情報データベースから通信設備の装置に関する現在停止作業中の予定停止作業情報を抽出し、経路検索結果が描画された系統図に現在停止作業中の装置を反映させて表示させるようにしたので、経路検索をリアルタイムで行うことができ、しかも、前回の検索結果と異ならせて表示しているので、視覚的かつ直感的にネットワームの状況を把握することができる。また、故障情報や予定静止作業の情報を反映させることができるので、より正確に把握することができる。
【００３４】
本発明の請求項１５に係るネットワークの経路検索方法では、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバにより、設備所管箇所監視制御端末装置から経路検索を求める始終端両装置の指定情報を受け取ると、データベースに基づいて指定された始終端両装置間の網構成情報を抽出する第１のステップと、抽出された始終端両装置間の網構成情報から種別の異なる階層の装置の有無を判定する第２のステップと、第２のステップで、レイヤ２の装置がある場合、指定された始終端両装置間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成して対象となる各装置に送出する第３のステップと、当該各対象装置側からレイヤ２経路情報読み出し結果を受け取ると、レイヤ２経路情報読み出し結果を解析してレイヤ２の経路情報を抽出する第４のステップと、第４のステップで生成されたレイヤ２の経路情報からレイヤ２網の構成部に関する経路を決定する第５のステップと、第２のステップで、レイヤ３の装置がある場合、コマンド文法と指定された始終端両装置のＩＰアドレスとから始端装置または終端装置のうちいずれか一方のログインコマンドと経路検索コマンドとを生成して当該一方の指定装置に送出する第６のステップと、当該一方の指定装置側から経路検索コマンドの処理結果を受け取ると、この処理結果を解析しレイヤ３の経路情報を生成する第７のステップと、第７のステップで生成されたレイヤ３の経路情報から経路上の途絶部の有無を判定するとともに判定回数をカウントする第８のステップと、第８のステップで判定回数が１回でかつ途絶部がない場合、決定されたレイヤ２の経路情報と一方の指定装置側からのレイヤ３の経路情報とを合成して、始終端装置間のすべての経由装置と経路を決定する第９のステップと、第８のステップで判定回数が１回でかつ途絶部がある場合、始終端装置を逆転させて、第６のステップに復帰し、他方の指定装置のログインコマンドと経路検索コマンドとを生成して当該他方の指定装置に送出する第１０のステップと、第８のステップで判定回数が２回でかつ途絶部がある場合、決定されたレイヤ２の経路情報と始終端装置両側からのレイヤ３の経路情報とを合成して、始終端装置両側から途絶部までの経由装置と経路を決定する第１１のステップと、第８のステップで判定回数が２回でかつ途絶部がない場合、決定されたレイヤ２の経路情報と他方の指定装置側からのレイヤ３の経路情報とを合成して、始終端両装置間のすべての経由装置と経路を決定する第１２のステップと、通信を通じて設備所管箇所監視制御端末装置に系統図を描画し、第１０のステップないし第１２のステップのうちいずれか１で決定された始終端両装置間のすべての経由装置と経路または決定された始終端装置両側から途絶部までの経由装置と経路のうち一方を、経路検索結果として系統図上に表示させる第１３のステップとを有するようにしたので、経路検索において始終端両指定装置間にたとえ途絶部があっても、始終端両指定装置の両側から途絶部までの経路を検索することができるので、よりきめ細かく正確な経路検索を行うことができる。
【図面の簡単な説明】
【００３５】
【図１】図１は本発明の第１の実施例に係るネットワークの経路検索システムを示すシステム構成図である。（実施例１）
【図２】図２は図１の経路検索システムによりＧＵＩ上で始端装置と終端装置を選択して経路検索を実行する際のイメージを示す説明図である。
【図３】図３は図１の経路検索システムによりＧＵＩ上で経路検索を実行した際の経路確認のイメージを示すもので、始終端装置間の現在の経路情報を色替表示（表記上螺旋状の経路）で示す説明図である。
【図４】図４は本発明の第２の実施例に係るネットワークの経路検索システムを示すシステム構成図である。（実施例２）
【図５】図５は図４の経路検索システムによりＧＵＩ上で経路検索を実行した際の経路変更時の経路確認のイメージを示すもので、過去の経路情報を色替表示して経路を変更した箇所を示す説明図である。
【図６】図６は図４の経路検索システムによりＧＵＩ上で経路検索を実行した際の途絶部がある場合の経路確認のイメージを示すもので、経路途絶部までの経路を示す説明図である。
【発明を実施するための形態】
【００３６】
経路検索を設備所管箇所監視制御端末装置側がＩＰネットワーク系統図や構成図等のＧＵＩ上から視覚的かつ直感的に容易に行い、しかも、経路の検索結果をＩＰネットワーク系統図や構成図等のＧＵＩ上に表示させるという目的を、データベースに格納された通信設備の情報と制御コマンド文法とに基づいてネットワーク全体の回線と設備とを管理運用するセンターサーバと、このセンターサーバと通信を通じてネットワークにおける指定装置間の経路検索に関する情報を遣り取り可能に接続される設備所管箇所監視制御端末装置とを備え、センターサーバは、データベースの物理回線構成に基づいて系統図を描画し、描画された系統図を設備所管箇所監視制御端末装置に表示させ、設備所管箇所監視制御端末装置から描画された系統図に基づいて経路検索を求める始終端両装置の指定情報を受け取ると、データベースにより指定された始終端装置の一方のＩＰアドレスと装置情報とを抽出し、抽出された装置情報から装置の種別を判定し、判定結果に基づいてレイヤ２経路情報照会コマンドと経路検索コマンドとをそれぞれ生成し、当該一方の装置がレイヤ２の場合、ＩＰアドレスに応じて生成されたログインコマンドに基づいて当該一方の装置にレイヤ２経路情報照会コマンドを送出し、当該一方の装置側からレイヤ２経路情報読み出し結果を受け取ると、レイヤ２経路情報読み出し結果を解析してレイヤ２の経路情報を得るとともに次の装置を特定し、特定された次の装置について種別の判定からレイヤ２の経路情報取得までを、指定された始終端両装置の他方の装置に達するまで繰り返し、当該一方の装置がレイヤ３の場合、ＩＰアドレスに応じて生成されたログインコマンドに基づいて当該一方の装置に経路検索コマンドを送出し、当該一方の装置側から経路検索結果を受け取ると、経路検索結果を解析してレイヤ３の経路情報を得るとともに次の装置を特定し、特定された次の装置について種別の判定からレイヤ３の経路情報取得までを、指定された始終端両装置の他方の装置に達するまで繰り返し、レイヤ２の経路情報とレイヤ３の経路情報とが指定された始終端両装置間について得られると、これらレイヤ２の経路情報とレイヤ３の経路情報とに基づいて、指定された始終端両装置間のすべての経由装置と経路とを合成し、合成された始終端両装置間の経路検索結果を系統図上に描画するとともに、通信を通じて設備所管箇所監視制御端末装置に表示させるとともに、センターサーバは、設備所管箇所監視制御端末装置から経路検索実行時間または経路検索実行回数とのうち少なくともいずれか１が選択された経路検索の実行を繰り返す経路検索実行繰り返し情報を受け取ると、この繰り返し情報に基づいて、経路検索を繰り返すようにしたことにより実現した。
【実施例１】
【００３７】
以下、図面に示す実施例により本発明の第１の発明を説明する。図１は、本発明の第１の実施例に係るネットワークの経路検索システムのシステム構成図である。本実施例に係るネットワークの経路検索システム２は、図１に示すように、エントリー端末と表示端末とが一体に構成され、予め決められた保守担当域のネットワーク回線の通信設備を管理する箇所端末（パーソナルコンピュータ、移動端末も含む。以下、設備所管箇所監視制御端末装置と称す。）１０と、これら設備所管箇所監視制御端末装置１０と通信回線（ＩＰ網、専用線網、公衆電話網等を含む。）を通じて接続され、ネットワークにおける指定装置間の経路検索に関する情報の遣り取りを行うとともに、構成管理データベース（データベース）１２に格納された通信設備の情報と制御コマンド文法データベース（データベース）２５に格納された制御コマンド文法とに基づいてネットワーク全体の回線と設備とを管理運用するセンターサーバ１１とを備えて構成される。センターサーバ１１は、エントリー端末と表示端末とが一体に構成された監視制御端末装置（図示せず）を備えている。本実施例でいうネットワークは、通信ネットワークをいう。また、通信設備は、電源装置と電源装置により電源供給を受ける通信装置（設備）と通信装置に収容された回線とをいう。
【００３８】
設備所管箇所監視制御端末装置１０は、通信ネットワーク全体のうち自己の保守担当域（支社）の通信ネットワーク回線の通信設備を管理するようになっている。センターサーバ１１は、構成管理データベース１２に格納された通信設備の情報に基づいて網構成と局内構成とを含む物理回線構成情報を抽出して外部に出力する物理回線構成部（物理回線構成手段）１３と、物理回線構成部１３から受け取った物理回線構成情報に基づいて系統図を描画し、描画された系統図をセンターサーバ１１側表示端末（図示せず）と設備所管箇所監視制御端末装置１０とに表示させる物理回線系統図描画部（物理回線系統図描画手段）１４とを備えている。また、センターサーバ１１は、外部からの指令に基づいて構成管理データベース１２から装置の名称と当該装置のＩＰアドレスを抽出して出力する装置登録情報抽出部（装置登録情報抽出手段）２０を備えている。さらに、センターサーバ１１は、外部の設備所管箇所監視制御端末装置１０から表示された系統図に基づいて経路検索を求める始端装置Ａｄｓと終端装置Ａｄｅとについてこれら装置を選択して指定する装置指定情報（始端装置と終端装置の名称）を受け取ると、始終端指定装置Ａｄｓ、Ａｄｅを決定し決定した始終端装置Ａｄｓ、Ａｄｅの名称を外部に出力する始終端指定装置決定部（指定装置特定手段）２１と、始終端指定装置決定部２１から出力された始終端の各指定装置Ａｄｓ、Ａｄｅの名称を受け取ると、これら各指定装置Ａｄｓ、Ａｄｅの名称を装置登録情報抽出部２０に送出し、装置登録情報抽出部２０から当該装置のＩＰアドレスを受け取ると、始終端の各指定装置Ａｄｓ、Ａｄｅの名称とこれら装置のＩＰアドレスを決定し、これら各指定装置のうち一方の装置ＡｄｓまたはＡｄｅのＩＰアドレスを出力する始終端間装置ＩＰアドレス決定部（始終端間装置ＩＰアドレス決定手段）２２とを備えている。この始終端間装置ＩＰアドレス決定部２２は、外部から新たな装置の情報を受け取ると、装置登録情報抽出部２０を通じて新たな装置の名称とＩＰアドレスを決定して出力するようになっている。
【００３９】
センターサーバ１１は、始終端間装置ＩＰアドレス決定部２２から一方の指定装置のＩＰアドレスを受け取ると、例えば、一方の指定装置を始端装置Ａｄｓとすると、構成管理データベース１２から装置登録情報抽出部２０を通じて当該指定装置Ａｄｓの装置情報を抽出し、当該指定装置ＡｄｓのＩＰアドレスと装置情報とを出力する始終端間装置情報抽出部（始終端間装置情報抽出手段）２３を備えている。この始終端間装置情報抽出部２３は、始終端間装置ＩＰアドレス決定部２２から新たな装置のＩＰアドレスを受け取ると、その装置のＩＰアドレスと装置情報とを出力するようになっている。また、センターサーバ１１は、始終端間装置情報抽出部２３から一方の指定装置ＡｄｓのＩＰアドレスと装置情報とを受け取ると、当該指定装置Ａｄｓがレイヤ２かレイヤ３かいずれの層に属するかの種別を判定し、判定された層に応じて種別毎に装置情報とそのＩＰアドレスを出力する装置種別判定部（装置種別判定手段）２４を備えている。この装置種別判定部２４は、外部から新たな装置Ａｄ１・・・Ａｄｎについての情報が入力されると、この新たな装置について種別を判定し、判定された層に応じて種別毎に装置情報とそのＩＰアドレスを出力し、経路検索の対象となっている始終端装置の判定が、一方の指定装置Ａｄｓから他方の指定装置Ａｄｅに達すると、レイヤ２の経路情報とレイヤ３の経路情報とを合成する指示を外部に出力するようになっている。
【００４０】
さらに、センターサーバ１１は、装置種別判定部２４により装置Ａｄｓ（Ａｄ１・・・Ａｄｎ）の種別がレイヤ２と判定され、レイヤ２の装置情報とそのＩＰアドレスが送られてくると、制御コマンド文法データベース２５に基づいて制御コマンド文法と当該装置のＩＰアドレスとからレイヤ２に属する装置のログインコマンドとレイヤ２の経路情報照会コマンドとを生成し、この生成されたコマンドを通信を通じて当該装置Ａｄｓ−Ｌ２（Ａｄ１−Ｌ２・・・Ａｄｎ−Ｌ２）に送出するレイヤ２経路情報照会コマンド生成部（レイヤ２経路情報照会コマンド生成手段）２６を備えている。また、センターサーバ１１は、レイヤ２経路情報照会コマンド生成部２６から当該装置Ａｄｓ−Ｌ２（Ａｄ１−Ｌ２・・・Ａｄｎ−Ｌ２）に送出されたレイヤ２の経路情報照会コマンドについて、当該装置Ａｄｓ−Ｌ２からレイヤ２の経路情報照会コマンドに対する読み出し処理結果が送られてくると、この処理結果を解析して当該装置Ａｄｓ−Ｌ２と接続される経路上の次の装置を割り出し、次の装置の情報を新たな装置の情報として装置種別判定部２４に送出するレイヤ２経路情報照会結果解析部（レイヤ２経路情報照会結果解析手段）２７を備えている。
【００４１】
センターサーバ１１は、装置種別判定部２４により装置Ａｄｓ（Ａｄ１・・・Ａｄｎ）の種別がレイヤ３と判定され、レイヤ３の装置情報とそのＩＰアドレスが送られてくると、制御コマンド文法データベース２５に基づいて制御コマンド文法と当該装置Ａｄｓ（Ａｄ１・・・Ａｄｎ）のＩＰアドレスとからレイヤ３に属する装置のログインコマンドとレイヤ３の経路検索コマンドとを生成し、この生成されたコマンドを通信を通じて当該装置Ａｄｓ−Ｌ３（Ａｄ１−Ｌ３・・・Ａｄｎ−Ｌ３）に送出する経路検索コマンド生成部（経路検索コマンド生成手段）２８を備えている。また、センターサーバ１１は、経路検索コマンド生成部２８から当該装置Ａｄｓ−Ｌ３（Ａｄ１−Ｌ３・・・Ａｄｎ−Ｌ３）に送出された経路検索コマンドについて、当該装置Ａｄｓ−Ｌ３（Ａｄ１−Ｌ３・・・Ａｄｎ−Ｌ３）からレイヤ３の経路検索コマンドに対する経路検索結果が送られてくると、この検索結果を解析して当該装置Ａｄｓ−Ｌ３と接続される経路上の次の装置を割り出し、次の装置の情報を新たな装置の情報として装置種別判定部２４に送出する経路検索結果解析部（経路検索結果解析手段）２９を備えている。
【００４２】
センターサーバ１１は、装置種別判定部２４から経路合成の指示を受け取ると、レイヤ２の装置Ａｄｓ−Ｌ２、Ａｄ１−Ｌ２・・・Ａｄｎ−Ｌ２の経路とレイヤ３の装置Ａｄｓ−Ｌ３、Ａｄ１−Ｌ３・・・Ａｄｎ−Ｌ３の経路とを合成し、始終端装置間のすべての経由装置と経路とを決定し、この決定された経由装置の情報と経路の情報とを含む経路検索結果を出力する始終端指定装置間経路合成部（始終端指定装置間経路合成手段）３０を備えている。さらに、センターサーバ１１は、始終端指定装置間経路合成部３０から受け取った経路検索結果に基づいて、検索された始終端指定装置間の経路をセンターサーバ１１側表示端末（図示せず）の系統図上に表示するとともに、通信を通じて設備所管箇所監視制御端末装置１０に描画された系統図上に表示させる系統図上経路描画部（系統図上経路描画手段）３１を備えている。系統図上経路描画部３１は、検索された指定装置間の経路を系統図上に描画すると、経路検索の繰り返しを指示する指令を外部に送出するようになっている。また、系統図上経路描画部３１は、系統図上に描画された経路検索結果が前回と異なる場合、前回の経路検索結果と視覚的に異ならせて描画するようになっている。
【００４３】
センターサーバ１１は、設備所管箇所監視制御端末装置１０から経路検索実行時間または経路検索実行回数とのうち少なくともいずれか１が選択された経路検索の実行を繰り返す経路検索実行繰り返し条件情報Ｉ−ｒｑを受け取ると、選択された実行時間または実行回数のうち少なくともいずれか１の条件を決定して出力する実行時間・実行回数決定部（実行時間・実行回数決定手段）４０を備えている。また、センターサーバ１１は、実行時間・実行回数決定部４０から決定された繰り返し条件情報Ｉ−ｒｑを受け取り、系統図上経路描画部３１から経路検索の繰り返しを指示する指令を受け取ると、実行時間・実行回数決定部４０からの決定された繰り返し条件情報Ｉ−ｒｑに基づいて系統図上経路描画部３１からの指令が繰り返し条件を満たすかどうか判定し、満たすと判定した場合、経路検索の処理を終了し、満たさないと判定した場合、始終端間装置情報抽出部２３に経路検索の実行を繰り返すよう指示する繰り返し条件判定部（繰り返し条件判定手段）４１を備えている。
【００４４】
次に、本発明の第１の発明に係るネットワークの経路検索方法について、上記第１の実施例に係るネットワークの経路検索システム２の作用に基づいて説明する。本実施例に係るネットワークの経路検索方法は、図１に示すように、まず、センターサーバ１１の物理回線系統図描画部１４により物理回線構成部１３を通じて構成管理データベース１２に格納された物理回線構成（網構成、局内構成）の情報に基づいて系統図を描画し、描画された系統図をセンターサーバ１１側表示端末（図示せず）と設備所管箇所監視制御端末装置１０とに表示させる（第１のステップＳ１）。次に、設備所管箇所監視制御端末装置１０側のオペレータが、表示された系統図に基づいて経路検索を求める始終端装置Ａｄｓ、Ａｄｅを選択して指定し（図２参照）、経路検索実行の実行時間Ｔまたは実行回数Ｎのうち少なくともいずれか一方について選択し、その条件Ｉ−ｒｑを指定すると、オペレータにより選択されたこれら経路検索を求める始終端装置Ａｄｓ、Ａｄｅの情報と経路検索実行の実行時間Ｔまたは／および実行回数Ｎの情報Ｉ−ｒｑが設備所管箇所監視制御端末装置１０から通信を介してセンターサーバ１１に送られる。
【００４５】
センターサーバ１１は、始終端指定装置決定部２１が始終端指定装置Ａｄｓ、Ａｄｅを決定し決定された始終端装置Ａｄｓ、Ａｄｅの名称を始終端間装置ＩＰアドレス決定部２２に出力する。始終端間装置ＩＰアドレス決定部２２では、始終端指定装置決定部２１から受け取った始終端装置Ａｄｓ、Ａｄｅの名称から装置登録情報抽出部２０を通じて構成管理データベース１２の装置登録情報（装置名称、装置のＩＰアドレス）に基づき始端装置Ａｄｓと終端装置ＡｄｅとのＩＰアドレスをそれぞれ抽出して決定し、これら各指定装置のうち一方の装置、例えば、一方の装置を始端装置Ａｄｓとすると、この一方の装置ＡｄｓのＩＰアドレスを始終端間装置情報抽出部２３に出力する。始終端間装置情報抽出部２３は、始終端間装置ＩＰアドレス決定部２２から一方の装置ＡｄｓのＩＰアドレスを受け取ると、構成管理データベース１２から装置登録情報抽出部２０を通じて当該指定装置Ａｄｓの装置情報を抽出し、当該指定装置ＡｄｓのＩＰアドレスと装置情報とを装置種別判定部２４に出力する（第２のステップＳ２）。
【００４６】
装置種別判定部２４は、始終端間装置情報抽出部２３から一方の指定装置ＡｄｓのＩＰアドレスと装置情報とを受け取ると、当該指定装置Ａｄｓがレイヤ２またはレイヤ３のどの層に属するかの種別を判定し、判定された層に応じて種別毎に装置情報とそのＩＰアドレスを出力する（第３のステップＳ３）。
【００４７】
第３のステップＳ３で、装置種別判定部２４により当該一方の指定装置Ａｄｓがレイヤ２と判定され、レイヤ２の装置情報とそのＩＰアドレスを含む判定結果をレイヤ２経路情報照会コマンド生成部２６が受け取ると、レイヤ２経路情報照会コマンド生成部２６は、制御コマンド文法データベース２５に基づいて制御コマンド文法と当該装置ＡｄｓのＩＰアドレスとから当該レイヤ２の装置のログインコマンドとレイヤ２の経路情報照会コマンドとを生成し、この生成されたコマンドを通信を通じてセンターサーバ１１から当該装置Ａｄｓ（Ａｄｓ−Ｌ２）に送出する（第４のステップＳ４）。当該装置Ａｄｓは、第４のステップＳ４でセンターサーバ１１からレイヤ２経路情報照会コマンドを受け取ると、このレイヤ２経路情報照会コマンドに基づいてレイヤ２の経路情報を読み出し、このレイヤ２経路情報読み出し結果をセンターサーバ１１に通信を通じて送信する。センターサーバ１１がこのレイヤ２経路情報読み出し結果を受け取ると、レイヤ２経路情報照会結果解析部２７はレイヤ２経路情報読み出し結果を解析して当該装置Ａｄｓ（Ａｄｓ−Ｌ２）と接続される経路上の次の装置（例えば、Ａｄ１）を割り出して特定し、特定された次の装置Ａｄ１の情報Ａｄ１−Ｌ２を新たな装置の情報として装置種別判定部２４に送出する（第５のステップＳ５）。装置種別判定部２４は、第５のステップＳ５でレイヤ２経路情報照会結果解析部２７から次の装置Ａｄ１についての情報Ａｄ１−Ｌ２が入力されると、この新たな次の装置Ａｄ１について種別を判定し、判定された層に応じて種別毎に装置情報とそのＩＰアドレスを出力する。装置種別判定部２４により新たな装置Ａｄ１・・・Ａｄｎがレイヤ２と判定されると第４のステップＳ４に復帰する。こうして、装置種別判定部２４がレイヤ２の装置を判定すると、第３のステップＳ３から第５のステップＳ５までの工程を繰り返し、指定された始終端両装置Ａｄｓ、Ａｄｅの一方の装置Ａｄｓから他方の装置Ａｄｅに至るまで始終端両装置Ａｄｓ〜Ａｄｅ間のレイヤ２の経路情報を順次得てゆく（第６のステップＳ６）。
【００４８】
次に、第３のステップＳ３で、装置種別判定部２４により当該一方の指定装置Ａｄｓがレイヤ３と判定され、レイヤ３の装置情報とそのＩＰアドレスを含む判定結果を経路検索コマンド生成部２８が受け取ると、経路検索コマンド生成部２８は、制御コマンド文法データベース２５に基づいて制御コマンド文法と当該装置ＡｄｓのＩＰアドレスとから当該レイヤ３の装置のログインコマンドとレイヤ３の経路検索コマンドとを生成し、この生成されたコマンドを通信を通じてセンターサーバ１１から当該装置Ａｄｓ（Ａｄｓ−Ｌ３）に送出する（第７のステップＳ７）。当該装置Ａｄｓは、第７のステップＳ７でセンターサーバ１１から経路検索コマンドを受け取ると、この経路検索コマンドに基づいてレイヤ３の経路を検索し、その経路検索結果をセンターサーバ１１に通信を通じて送信する。センターサーバ１１がこの経路検索結果を受け取ると、経路検索結果解析部２９はこの経路検索結果を解析して当該装置Ａｄｓ（Ａｄｓ−Ｌ３）と接続される経路上の次の装置（例えばＡｄ２）を割り出して特定し、特定された次の装置Ａｄ２の情報Ａｄ２−Ｌ３を新たな装置の情報として装置種別判定部２４に送出する（第８のステップＳ８）。装置種別判定部２４は、第８のステップＳ８で経路検索結果解析部２９から次の装置Ａｄ２についての情報Ａｄ２−Ｌ３が入力されると、この新たな次の装置Ａｄ２について種別を判定し、判定された層に応じて種別毎に装置情報とそのＩＰアドレスを出力する。装置種別判定部２４により新たな装置Ａｄ２・・・Ａｄｎがレイヤ３と判定されると第７のステップＳ７に復帰する。こうして、装置種別判定部２４がレイヤ３の装置を判定すると、第３のステップＳ３、第７のステップＳ７および第８のステップＳ８までの工程を繰り返し、指定された始終端両装置Ａｄｓ、Ａｄｅの一方の装置Ａｄｓから他方の装置Ａｄｅに至るまで始終端両装置Ａｄｓ〜Ａｄｅ間のレイヤ３の経路情報を順次得てゆく（第９のステップＳ９）。
【００４９】
そして、第６のステップで、第３のステップＳ３から第５のステップＳ５までの工程を繰り返し始終端両装置Ａｄｓ〜Ａｄｅ間のレイヤ２の経路情報が得られ、かつ、第９のステップで、第３のステップＳ３、第７のステップＳ７および第８のステップＳ８までの工程を繰り返し始終端両装置Ａｄｓ〜Ａｄｅ間のレイヤ３の経路情報が得られると、装置種別判定部２４は、経路検索がレイヤ２の装置とレイヤ３の装置とについて、一方の指定装置（始端装置）Ａｄｓから他方の指定装置（終端装置）Ａｄｅに達したと判定し、経路合成の指示を始終端指定装置間経路合成部３０に出力する。始終端指定装置間経路合成部３０は、装置種別判定部２４から経路合成の指示を受け取ると、レイヤ２の装置Ａｄｓ−Ｌ２、Ａｄ１−Ｌ２・・・Ａｄｎ−Ｌ２の経路とレイヤ３の装置Ａｄｓ−Ｌ３、Ａｄ２−Ｌ３・・・Ａｄｎ−Ｌ３の経路とを合成し、始終端装置間のすべての経由装置と経路とを決定し、この決定された経由装置の情報と経路の情報とを含む経路検索結果を系統図上経路描画部３１に出力する。系統図上経路描画部３１は、始終端指定装置間経路合成部３０から受け取った経路検索結果に基づいて、検索された始終端指定装置間の経路を物理回線系統図描画部１４により描画されたセンターサーバ１１側表示端末（図示せず）の系統図上に描画するとともに、通信を通じて設備所管箇所監視制御端末装置１０に描画された系統図上に表示させる（第１０のステップＳ１０）。
【００５０】
また、系統図上経路描画部３１は、経路検索結果を設備所管箇所監視制御端末装置１０の表示端末上に描画された系統図に表示させると、経路検索の繰り返しを指示する指令を繰り返し条件判定部４１に送出する。繰り返し条件判定部４１は、系統図上経路描画部３１から経路検索の繰り返しを指示する指令を受け取ると、実行時間・実行回数決定部４０から受け取った繰り返し条件情報Ｉ−ｒｑに基づいて系統図上経路描画部３１からの指令が繰り返し条件を満たすかどうか判定し、満たすと判定した場合、経路検索の処理を終了し、満たさないと判定した場合、始終端間装置情報抽出部２３に経路検索の実行を繰り返すよう指示する（第１１のステップＳ１１）。こうして、経路検索は、設備所管箇所監視制御端末装置１０から経路検索実行時間または経路検索実行回数とのうち少なくともいずれか１が選択された経路検索の実行を繰り返す経路検索実行繰り返し条件情報Ｉ−ｒｑに基づいて繰り返される（第１２のステップＳ１２）。この経路検索の繰り返しの際、系統図上経路描画部３１は、系統図上に描画された経路検索結果が前回と異なる場合、前回の経路検索結果と視覚的に異ならせて表示するようになっている（図３の螺旋状の経路参照）。
【００５１】
このように、上記第１の実施例に係るネットワークの経路検索システムおよびその方法では、経路の検索をオペレータによるコマンド入力を回避して、設備所管箇所監視制御端末装置側がＩＰネットワーク系統図や構成図等のＧＵＩ上から視覚的かつ直感的に容易に行うことができ、しかも、経路の検索結果をＩＰネットワーク系統図や構成図等のＧＵＩ上に表示させて直感的に判断することができるようになっている。また、経路検索の実行を時間または回数で繰り返す経路検索実行繰り返し条件に基づいて行うようにしているため、リアルタイムで経路検索を行うことができる。さらに、系統図上に描画された経路検索結果が前回と異なる場合、前回の経路検索結果と視覚的に異ならせて表示するようになっているので、視覚的かつ直感的にネットワームの状況を把握することができる。
【実施例２】
【００５２】
次に、本発明の第２の発明を第２の実施例に係るネットワークの経路検索システム１０２について説明する。本実施例に係るネットワークの経路検索システム１０２は、上記第１の実施例に係るネットワークの経路検索システム２では、経路検索において途絶箇所があった場合、レイヤ２の装置とレイヤ３の装置のいずれについても一方の指定装置（例えば始端装置）側から他方の指定装置（例えば終端装置）側に達する前に、次の装置を特定することができず、経路検索処理ができなくなってしまう虞があるのに対し、途絶箇所がある場合、始終端の指定装置を逆転させて、始終端装置両側から途絶部までの経路を検索することができるようにした点が異なっている。
【００５３】
本実施例に係るネットワークの経路検索システム１０２は、図４に示すように、設備所管箇所監視制御端末装置１０と、これら設備所管箇所監視制御端末装置１０と通信を通じて接続され、ネットワークにおける指定装置間の経路検索に関する情報の遣り取りを行うとともに、通信設備の情報が格納された構成管理データベース（データベース）１１２と制御コマンド文法が格納された制御コマンド文法データベース（データベース）１２５と外部から通信設備の故障情報が送信されて格納される故障情報データベース１３５と外部から通信設備の予定停止作業情報が送信されて格納される予定停止作業情報データベース１３６とに基づいてネットワーク全体の回線と設備とを管理運用するセンターサーバ１１１を備えて構成される。センターサーバ１１１は、エントリー端末と表示端末とが一体に構成された監視制御端末装置（図示せず）を備えている。なお、同一符号は、同一または相当部分を示す。
【００５４】
センターサーバ１１１は、外部からの指令により構成管理データベース１１２に格納された通信設備の情報に基づいて網構成とＩＰ装置のＩＰアドレスと装置情報とを含む網構成情報を抽出して外部に出力する網構成情報抽出部（網構成情報抽出手段）１１３と（図４の「２−２」参照）、設備所管箇所監視制御端末装置１０から経路検索を求める始終端両装置Ｂｄｓ、Ｂｄｅの指定情報を受け取り（図４の「２−１」参照）、外部から経路検索の処理実行の指示を受け取ると、網構成情報抽出部１１３を通じて構成管理データベース１１２から指定された始終端両装置Ｂｄｓ、Ｂｄｅ間の網構成情報を抽出して出力する始終端装置情報抽出部（始終端装置情報抽出手段）１２２とを備えている（図４の「２−３」参照）。また、センターサーバ１１１は、設備所管箇所監視制御端末装置１０から経路検索を繰り返し実行する実行時間または経路検索を繰り返す実行回数のうち少なくともいずれか１が選択された経路検索実行繰り返しの条件情報Ｉ−ｒｑを受け取ると（図４の「１−１」参照）、この繰り返し処理の実行を決定し（図４の「１−２」参照）、決定された繰り返し実行時間または繰り返し回数の条件情報Ｉ−ｒｑを出力する実行時間・実行回数決定部（実行時間・実行回数決定手段）１２０と（図４の「１−３」参照）、実行時間・実行回数決定部１２０から決定された繰り返し実行時間または繰り返し回数の条件情報Ｉ−ｒｑを受け取ると、外部から経路検索処理の実行が１回終わる度に送られてくる経路検索処理実行完了情報Ｉ−ｆｄ（図４の「４−７」参照）がこの条件情報Ｉ−ｒｑに合致しているかどうか判定し、実行時間または実行回数の繰り返し条件を満たしている場合、経路検索処理の実行を終了し、条件を満たしていない場合、経路検索処理実行の指示を始終端装置情報抽出部１２２に送る繰り返し判定部（繰り返し判定手段）１２１とを備えている（図４の「１−４」参照）。また、繰り返し判定部１２１は、実行時間・実行回数決定部１２０から条件情報Ｉ−ｒｑを受け取った際に、外部から一度も経路検索処理実行完了情報Ｉ−ｆｄを受け取っていない場合、初回の経路検索処理の実行とみなし、経路検索処理実行の指示を始終端装置情報抽出部１２２に出力するようになっている。
【００５５】
センターサーバ１１１は、始終端装置情報抽出部１２２から受け取った抽出された始終端両装置Ｂｄｓ、Ｂｄｅ間の網構成情報に基づいて種別の異なる階層の装置のうちレイヤ２の装置の有無を判定するレイヤ２経路判定部（レイヤ２経路判定手段）１２３と（図４の「２−４」参照）、始終端装置情報抽出部１２２から受け取った抽出された始終端両装置間の網構成情報に基づいて種別の異なる階層の装置のうちレイヤ３の装置の有無を判定するレイヤ３経路判定部（レイヤ３経路判定手段）１２４と（図４の「３−１」参照）、レイヤ２経路判定部１２３によりレイヤ２の装置を有すると判定された場合、始終端両装置Ｂｄｓ、Ｂｄｅ間の網構成情報に含まれるすべてのレイヤ２の装置に対し、コマンド文法と始終端装置情報抽出部１２２からの網構成情報に基づくＩＰアドレスとからレイヤ２に属する装置のログインコマンドとレイヤ２経路情報照会コマンドとを生成して当該レイヤ２に属する各対象装置Ｂｄ１−Ｌ２、Ｂｄ２−Ｌ２・・・Ｂｄｎ−Ｌ２に送出するレイヤ２経路情報照会コマンド生成部（レイヤ２経路情報照会コマンド生成手段）１２６とを備えている（図４の「２−５」、「２−６」参照）。レイヤ２経路判定部１２３は、レイヤ２に属する装置がない場合、その情報を外部に出力するようになっている。レイヤ３経路判定部１２４も、レイヤ３に属する装置がない場合、その情報を外部に出力するようになっている。
【００５６】
また、センターサーバ１１１は、レイヤ２経路情報照会コマンド生成部１２６から当該装置Ｂｄｓ−Ｌ２（Ｂｄ１−Ｌ２・・・Ｂｄｎ−Ｌ２）に送出されたレイヤ２の経路情報照会コマンドについて、当該装置Ｂｄｓ−Ｌ２側からレイヤ２の経路情報照会コマンドに対する読み出し結果を受け取ると（図４の「２−７」参照）、受け取ったレイヤ２経路情報読み出し結果を解析してレイヤ２の経路情報を取得するとともに、得られたレイヤ２の経路情報に対し優先する各対象装置Ｂｄ１−Ｌ２、Ｂｄ２−Ｌ２・・・Ｂｄｎ−Ｌ２の経路情報を抽出し、抽出されたレイヤ２の優先経路情報を出力するレイヤ２経路情報照会結果解析部（レイヤ２経路情報照会結果解析手段）１２７と（図４の「２−８」、「２−９」参照）、レイヤ２経路情報照会結果解析部１２７により抽出されたレイヤ２の優先経路情報からレイヤ２網の構成部に関する経路を決定してレイヤ２優先経路情報を出力するレイヤ２経路決定部（レイヤ２経路決定手段）１２８とを備えている（図４の「２−１０」、「２−１１」参照）。
【００５７】
センターサーバ１１１は、外部からの指令により制御コマンド文法データベース１２５に格納された制御コマンド文法に基づいて制御コマンド文法を抽出して出力する制御コマンド抽出部１１４を備えている（図４の「３−２」参照）。また、センターサーバ１１１は、レイヤ３経路判定部１２４によりレイヤ３の装置を有すると判定された場合、制御コマンド文法データベース１２５から制御コマンド抽出部１１４を通じてレイヤ３の経路検索を行うコマンドを抽出し、コマンド文法と始終端装置情報抽出部１２２により抽出された始終端両装置Ｂｄｓ、ＢｄｅのＩＰアドレスとから始端装置Ｂｄｓまたは終端装置Ｂｄｅのうちいずれか一方のログインコマンドと経路検索コマンドとを生成して当該一方の指定装置（例えば、始端装置Ｂｄｓ）に送出する経路検索コマンド生成部（経路検索コマンド生成手段）１２９を備えている（図４の「３−３」、「３−４」参照）。経路検索コマンド生成部１２９は、また、外部から他方の指定装置、すなわち、前記一方の指定装置が始端装置Ｂｄｓの場合、終端装置Ｂｄｅについてログインコマンドと経路検索コマンドとを生成して当該他方の指定装置Ｂｄｅに送出するよう逆転の指令を受けると（図４の「３−１０」参照）、制御コマンド文法データベース１２５と制御コマンド抽出部１１４と始終端装置情報抽出部１２２とにより他方の指定装置Ｂｄｅについてログインコマンドと経路検索コマンドとを生成して（図４の「３−３」参照）当該他方の指定装置Ｂｄｅに送出するようになっている（図４の「３−４」参照）。
【００５８】
センターサーバ１１１は、経路検索コマンド生成部１２９から一方の指定装置Ｂｄｓに送出された経路検索コマンドについて、当該装置Ｂｄｓ側から経路検索コマンドに対する処理結果を受け取ると（図４の「３−５」参照）、この結果を解析しこの結果から得られるＩＰアドレスと網構成とからレイヤ３の経路情報を生成して出力する経路検索結果解析部（経路検索結果解析手段）１３０と（図４の「３−６」、「３−７」参照）、経路検索結果解析部１３０から生成されたレイヤ３の経路情報を受け取ると、経路上の途絶部の有無を判定するとともに判定回数をカウントする途絶判定部（途絶判定手段）１３１と（図４の「３−８」参照）、途絶判定部１３１から途絶部の有無の判定が第１回目でかつ途絶部ありの判定結果を受け取ると、指定された始終端装置Ｂｄｓ、Ｂｄｅを逆転させ（図４の「３−９」参照）、経路検索コマンド生成部１２９に始終端両装置Ｂｄｓ、Ｂｄｅのうち他方の指定装置Ｂｄｅのログインコマンドと経路検索コマンドとを生成して当該他方の指定装置Ｂｄｅに送出するよう指示する始終端指定装置逆転部（始終端指定装置逆転手段）１３２とを備えている（図４の「３−１０」参照）。また、センターサーバ１１１は、途絶判定部１３１の判定が、前記のような第１回目でかつ途絶部がある場合を除く判定結果を受け取ると（図４の「３−１１」参照）、すなわち、判定結果が判定回数が１回で途絶部なしの場合、レイヤ２経路決定部１２８で決定されたレイヤ２優先経路情報と一方の指定装置Ｂｄｓ側からのレイヤ３の経路情報とを合成して、始終端装置Ｂｄｓ、Ｂｄｅ間のすべての経由装置と経路を決定し、判定結果が判定回数が２回で途絶部がある場合、レイヤ２経路決定部１２８で決定されたレイヤ２優先経路情報と始終端装置Ｂｄｓ、Ｂｄｅ両側からのレイヤ３の経路情報とを合成して、始終端装置Ｂｄｓ、Ｂｄｅ両側から途絶部までの経由装置と経路を決定し、判定結果が判定回数が２回で途絶部がない場合、レイヤ２経路決定部１２８で決定されたレイヤ２優先経路情報と他方の指定装置Ｂｄｅ側からのレイヤ３の経路情報とを合成して、始終端両装置Ｂｄｓ、Ｂｄｅ間のすべての経由装置と経路を決定し、決定した始終端装置Ｂｄｓ、Ｂｄｅ間の経路情報を外部に出力する始終端指定装置間経路決定部（始終端指定装置間経路決定手段）１３３を備えている（図４の「４−１」。「４−２」参照）。この始終端指定装置間経路決定部１３３は、また、決定した始終端装置Ｂｄｓ、Ｂｄｅ間の経路情報を出力すると、１回の経路検索実行処理が終了したとみなし、繰り返し判定部１２１に経路検索処理実行完了情報Ｉ−ｆｄを送出するようになっている（図４の「４−７」参照）。
【００５９】
センターサーバ１１１は、外部からの指令により故障情報データベース１３５に格納された通信設備の情報に基づいて発生中の故障情報（アラーム情報）を抽出し、抽出された発生中の故障情報を外部に出力する故障情報抽出部１１５と（図４の「４−３」参照）、外部からの指令により予定停止作業情報データベース１３６に格納された予定停止作業情報に基づいて、現在停止作業中の予定停止作業情報を抽出し、抽出された予定停止作業情報を外部に出力する停止作業情報抽出部１１６とを備えている（図４の「４−４」参照）。また、センターサーバ１１１は、始終端指定装置間経路決定部１３３から決定された始終端装置Ｂｄｓ、Ｂｄｅ間の経路情報を受け取ると、故障情報抽出部１１５と停止作業情報抽出部１１６とにそれぞれ指令を送り、それぞれ抽出された発生中の故障情報と現在停止作業中の予定停止作業情報とを受け取り、決定された始終端両装置Ｂｄｓ、Ｂｄｅ間のすべての経由装置と経路または決定された始終端装置Ｂｄｓ、Ｂｄｅ両側から途絶部までの経由装置と経路のうち一方を経路検索結果として発生中の故障情報と予定停止作業情報とを反映させて視覚的に区別してセンターサーバ１１１側表示端末（図示せず）に描画された系統図上に表示するとともに（図４の「４−５」参照）、通信を通じて設備所管箇所監視制御端末装置１０に描画された系統図に表示させる系統図上経路描画部（系統図上経路描画手段）１３４を備えている（図４の「４−６」参照）。系統図上経路描画部１３４は、系統図上に描画された経路検索結果が前回と異なる場合、前回の経路検索結果と視覚的に異ならせて描画するようになっている（図５参照）。また、系統図上経路描画部１３４は、センターサーバ１１１側表示端末（図示せず）と設備所管箇所監視制御端末装置１０とに経路検索結果が描画された系統図に、故障発生中の通信設備を視覚的に区別して表示させるとともに、現在停止作業中の通信設備を視覚的に区別して表示させるようになっている。
【００６０】
次に、本発明の第２の発明に係るネットワークの経路検索方法について、上記第２の実施例に係るネットワークの経路検索システム１０２の作用に基づいて説明する。本実施例に係るネットワークの経路検索方法は、図４に示すように、センターサーバ１１１が設備所管箇所監視制御端末装置１０から通信を通じて経路検索を繰り返し実行する実行時間または経路検索を繰り返す実行回数のうち少なくともいずれか１が選択された経路検索実行繰り返しの条件情報Ｉ−ｒｑと経路検索を求める始終端両装置Ｂｄｓ、Ｂｄｅの指定情報とを受け取ると（図４の「１−１」、「２−１」参照）、実行時間・実行回数決定部１２０は、この繰り返し処理の実行を決定し（図４の「１−２」参照）、決定された繰り返し実行時間または繰り返し回数の条件情報Ｉ−ｒｑを繰り返し判定部１２１に出力する（図４の「１−３」参照）。一方、始終端装置情報抽出部１２２は、始終端両装置Ｂｄｓ、Ｂｄｅの指定情報を受け取ると、網構成情報抽出部１１３を通じて構成管理データベース１１２から指定された始終端両装置Ｂｄｓ、Ｂｄｅ間の網構成とＩＰ装置のＩＰアドレスと装置情報とを含む網構成情報を抽出する（第１のステップＳ１０１、図４の「２−２」、「２−３」参照）。そして、繰り返し判定部１２１は、実行時間・実行回数決定部１２０から決定された繰り返し実行時間または繰り返し回数の条件情報Ｉ−ｒｑを受け取ると、始終端指定装置間経路決定部１３３から出力された経路検索処理実行完了情報Ｉ−ｆｄ（図４の「４−７」参照）が決定された繰り返し実行時間または繰り返し回数の条件情報Ｉ−ｒｑに合致しているかどうか判定し、条件を満たしている場合、経路検索処理の実行を終了し、満たしていない場合、経路検索処理実行の指示を始終端装置情報抽出部１２２に出力する（図４の「１−４」参照）。また、繰り返し判定部１２１は、始終端指定装置間経路決定部１３３から出力された経路検索処理実行完了情報Ｉ−ｆｄを受け取っていない場合、すなわち、初めて経路検索処理を実行する場合、初回の経路検索処理の実行とみなし、経路検索処理実行の指示を始終端装置情報抽出部１２２に出力する。
【００６１】
次に、始終端装置情報抽出部１２２が、網構成情報抽出部１１３を通じて構成管理データベース１１２から指定された始終端両装置Ｂｄｓ、Ｂｄｅ間の網構成とＩＰ装置のＩＰアドレスと装置情報とを含む網構成情報を抽出して出力すると、レイヤ２経路判定部１２３は、始終端装置情報抽出部１２２から受け取った抽出された始終端両装置Ｂｄｓ、Ｂｄｅ間の網構成情報から種別の異なる階層、すなわち、レイヤ２の装置の有無を判定し（図４の「２−４」参照）、レイヤ３経路判定部１２４は、始終端装置情報抽出部１２２から受け取った抽出された始終端両装置Ｂｄｓ、Ｂｄｅ間の網構成情報から種別の異なる階層、すなわち、レイヤ３の装置の有無を判定する（第２のステップＳ１０２、図４の「３−１」参照）。
【００６２】
第２のステップＳ１０２で、レイヤ２経路判定部１２３によりレイヤ２の装置があると判定された場合、レイヤ２経路判定部１２３は判定結果をレイヤ２経路情報照会コマンド生成部１２６に送出する。レイヤ２経路情報照会コマンド生成部１２６は、判定結果を受け取ると、指定された始終端両装置Ｂｄｓ、Ｂｄｅ間の網構成情報に含まれるすべてのレイヤ２の装置に対し、コマンド文法と網構成情報に基づくＩＰアドレスとからレイヤ２に属する装置のログインコマンドとレイヤ２経路情報照会コマンドとを生成し（図４の「２−５」参照）、当該レイヤ２に属する各対象装置Ｂｄ１−Ｌ２、Ｂｄ２−Ｌ２・・・Ｂｄｎ−Ｌ２に送出し（図４の「２−６」参照）、第２のステップ１０２で、レイヤ２経路判定部１２３によりレイヤ２に属する装置がないと判定された場合、その判定結果を始終端指定装置間経路決定部１３３に出力する（第３のステップＳ１０３）。
【００６３】
レイヤ２経路情報照会コマンド生成部１２６が、第３のステップＳ１０３で各対象装置Ｂｄ１−Ｌ２、Ｂｄ２−Ｌ２・・・Ｂｄｎ−Ｌ２にレイヤ２経路情報照会コマンドを送出すると、各対象装置Ｂｄ１−Ｌ２、Ｂｄ２−Ｌ２・・・Ｂｄｎ−Ｌ２は、レイヤ２経路情報照会コマンドに基づいてレイヤ２の経路情報を読み出し、レイヤ２経路情報読み出し結果をセンターサーバ１１１に送信する（図４の「２−７」参照）。センターサーバ１１１は、各対象装置Ｂｄ１−Ｌ２、Ｂｄ２−Ｌ２・・・Ｂｄｎ−Ｌ２からレイヤ２経路情報読み出し結果を受け取ると、レイヤ２経路情報照会結果解析部１２７により受け取ったレイヤ２経路情報読み出し結果を解析してレイヤ２の経路情報を取得するとともに取得したレイヤ２の経路情報に対し優先する各対象装置Ｂｄ１−Ｌ２、Ｂｄ２−Ｌ２・・・Ｂｄｎ−Ｌ２の経路情報を抽出し（図４の「２−８」参照）、このレイヤ２の優先経路情報をレイヤ２経路決定部１２８に出力する（第４のステップＳ１０４、図４の「２−９」参照）。レイヤ２経路決定部１２８は、第４のステップＳ１０４で抽出されたレイヤ２の優先経路情報を受け取ると、このレイヤ２優先経路情報に基づいて、レイヤ２網の構成部に関する経路を決定し（（図４の「２−１０」参照））、レイヤ２優先経路情報を始終端指定装置間経路決定部１３３に出力する（第５のステップＳ１０５、図４の「２−１１」参照）。
【００６４】
一方、第２のステップＳ１０２で、レイヤ３経路判定部１２４によりレイヤ３の装置があると判定された場合（図４の「３−１」参照）、レイヤ３経路判定部１２４は判定結果を経路検索コマンド生成部１２９に送出する。経路検索コマンド生成部１２９はレイヤ３経路判定部１２４から判定結果を受け取ると、制御コマンド文法データベース１２５から制御コマンド抽出部１１４を通じてレイヤ３の経路検索を行うコマンドを抽出し、コマンド文法と始終端装置情報抽出部１２２から抽出された始終端両装置Ｂｄｓ、ＢｄｅのＩＰアドレスとから始端装置Ｂｄｓまたは終端装置Ｂｄｅのうちいずれか一方のログインコマンドと経路検索コマンドとを生成し（図４の「３−３」参照）、当該一方の指定装置、例えば、本実施例の場合、始端装置Ｂｄｓに送出する（図４の「３−４」参照）。第２のステップＳ１０２で、レイヤ３経路判定部１２４によりレイヤ３に属する装置がないと判定された場合、その判定結果を始終端指定装置間経路決定部１３３に出力する（第６のステップＳ１０６）。経路検索コマンド生成部１２９が第６のステップＳ１０６で当該一方の指定装置Ｂｄｓにレイヤ３の経路検索コマンドを送信し、当該一方の指定装置Ｂｄｓからセンターサーバ１１１にレイヤ３の経路検索コマンドの処理結果が送られてくると（図４の「３−５」参照）、経路検索結果解析部１３０は、受け取ったレイヤ３の経路検索処理結果を解析しＩＰアドレスと網構成とからレイヤ３の経路情報を生成し（図４の「３−６」参照）、途絶判定部１３１に出力する（第７のステップＳ１０７、図４の「３−７」参照）。
【００６５】
途絶判定部１３１は、経路検索結果解析部１３０から受け取ったレイヤ３の経路情報に基づいて、経路上の途絶部の有無を判定するとともに判定回数をカウントする（第８のステップＳ１０８、図４の「３−８」参照）。第８のステップＳ１０８において、途絶判定部１３１による判定とカウントで判定回数が１回でかつ途絶部がないと判定された場合、途絶判定部１３１は経路検索結果解析部１３０から受け取ったレイヤ３の経路情報を始終端指定装置間経路決定部１３３に送出し（図４の「３−１１」参照）、始終端指定装置間経路決定部１３３は第５のステップＳ１０５で受け取った決定されたレイヤ２の経路情報と一方の指定装置Ｂｄｓ側からのレイヤ３の経路情報とを合成して、始終端装置Ｂｄｓ、Ｂｄｅ間のすべての経由装置と経路を決定する（第９のステップＳ１０９、図４の「４−１」参照）。
【００６６】
途絶判定部１３１による判定とカウントで判定回数が１回でかつ途絶部があると判定された場合（図６参照）、始終端指定装置逆転部１３２により指定された始終端装置Ｂｄｓ、Ｂｄｅを逆転させ、経路検索コマンド生成部１２９に始終端両装置Ｂｄｓ、Ｂｄｅのうち他方の指定装置Ｂｄｅのログインコマンドと経路検索コマンドとを生成して当該他方の指定装置Ｂｄｅに送出するよう指示する（図４の「３−１０」参照）。経路検索コマンド生成部１２９は、始終端指定装置逆転部１３２から他方の指定装置Ｂｄｅについてログインコマンドと経路検索コマンドとを生成して当該他方の指定装置Ｂｄｅに送出するよう指示を受けると、第６のステップＳ１０６と同様に、他方の指定装置Ｂｄｅのログインコマンドと経路検索コマンドとを生成し（図４の「３−３」参照）、当該他方の指定装置Ｂｄｅに送出する（第１０のステップＳ１１０、図４の「３−４」参照）。
【００６７】
第８のステップＳ１０８において、途絶判定部１３１が判定回数が２回でかつ途絶部があると判定した場合、途絶判定部１３１は、経路検索結果解析部１３０から受け取ったレイヤ３の経路情報を始終端指定装置間経路決定部１３３に送出し（図４の「３−１１」参照）、始終端指定装置間経路決定部１３３は第５のステップＳ１０５で受け取った決定されたレイヤ２の経路情報と始終端指定装置Ｂｄｓ、Ｂｄｅ両側からのレイヤ３の経路情報とを合成して、始終端装置Ｂｄｓ、Ｂｄｅ両側から途絶部までの経由装置と経路を決定する（第１１のステップＳ１１１、図４の「４−１」参照）。第８のステップＳ１０８において、途絶判定部１３１が判定回数が２回でかつ途絶部がないと判定した場合、途絶判定部１３１は、経路検索結果解析部１３０から受け取ったレイヤ３の経路情報を始終端指定装置間経路決定部１３３に送出し（図４の「３−１１」参照）、始終端指定装置間経路決定部１３３は第５のステップＳ１０５で受け取った決定されたレイヤ２の経路情報と他方の指定装置Ｂｄｅ側からのレイヤ３の経路情報とを合成して、他方の指定装置Ｂｄｅ側から途絶部までの経由装置と経路を決定する（第１２のステップＳ１１２、図４の「４−１」参照）。
【００６８】
始終端指定装置間経路決定部１３３は、第９のステップＳ１０９、第１１のステップＳ１１１または第１２のステップＳ１１２のうちいずれか１のステップで決定された（i）一方の指定装置Ｂｄｓ側からの始終端両装置Ｂｄｓ、Ｂｄｅ間のすべての経由装置と経路、（ii）始終端装置Ｂｄｓ、Ｂｄｅ両側から途絶部までの経由装置と経路、（iii）他方の指定装置Ｂｄｅ側からの始終端両装置Ｂｄｓ、Ｂｄｅ間のすべての経由装置と経路のうちいずれか１を、経路検索結果として系統図上経路描画部１３４に送出する（図４の「４−２」参照）。系統図上経路描画部１３４は、始終端指定装置間経路決定部１３３から経路検索結果を受け取ると、故障情報抽出部１１５と停止作業情報抽出部１１６とにそれぞれ指令を送り、それぞれ抽出された発生中の故障情報と現在停止作業中の予定停止作業情報とを受け取り（図４の「４−３」、「４−４」参照）、始終端指定装置間経路決定部１３３から受け取った経路検索結果に発生中の故障情報と予定停止作業情報とを反映させて視覚的に区別してセンターサーバ１１１の表示端末（図示せず）に表示された系統図上に表示するとともに（図４の「４−５」参照）、通信を通じて設備所管箇所監視制御端末装置１０の表示端末に描画された系統図上に表示させる（第１３のステップＳ１１３、図４の「４−６」参照）。
【００６９】
始終端指定装置間経路決定部１３３は、第１３のステップＳ１１３で系統図上経路描画部１３４に経路検索結果を送出すると（図４の「４−２」参照）、繰り返し判定部１２１に経路検索処理実行完了情報Ｉ−ｆｄを送出する（第１４のステップＳ１１４、図４の「４−７」参照）。繰り返し判定部１２１は、始終端指定装置間経路決定部１３３から経路検索処理実行完了情報Ｉ−ｆｄを受け取ると（図４の「４−７」参照）、この情報が設備所管箇所監視制御端末装置１０から受け取った経路検索実行繰り返しの条件情報Ｉ−ｒｑを満たすかどうか判定し、満たしている場合、経路検索処理の実行を終了し、満たしていない場合、実行時間・実行回数決定部１２０からの処理実行の指示を始終端装置情報抽出部１２２に出力し、第１のステップＳ１０１に復帰するようになっている。
【００７０】
このように、上記第２の実施例に係るネットワークの経路検索システムおよびその方法では、設備所管箇所監視制御端末装置側が経路検索を求める始終端の指定装置を指定すると、経路の検索結果をＩＰネットワーク系統図や単線結線図、構成図等のＧＵＩ上に表示させて直感的に判断することができるとともに、詳細に確認することができ、故障情報や予定停止作業の情報も反映させ、区別して把握できるようになっている。また、経路検索を始終端の双方向から可能とすることにより、経路検索結果が不良の場合や途絶部がある場合、故障装置・影響区間を視覚的に判断することができる。予定された伝送路停止作業による経路切換え時、継続して経路確認を実施し経路切換え前後の情報を同時に表示させネットワークの疎通状況を確認することができる。さらに、経路検索の実行を時間または回数で繰り返す経路検索実行繰り返し条件に基づいて行うようにしているため、つまり、任意の実行回数・時間入力により経路検索を継続して行うようにしたことにより、検索結果をリアルタイムで行うことができる。描画された検索結果が前回と異なる場合、前回の表示結果と視覚的に異ならせて表示するようにしているので、検索実行をかけっぱなしにし、サーバが自動検索し、変化があった時に表示で知らせることができる。さらに、レイヤ２の経路の優先度を順位付けするようにしているので、効率的な経路検索を行うことができる。
【００７１】
なお、上記第１の実施例では、センターサーバ１１が、物理回線系統図描画部１４により設備所管箇所監視制御端末装置１０に系統図を表示させ、その系統図（ＧＵＩ）上から設備所管箇所監視制御端末装置１０のオペレータが始終端の指定装置を選択するようにしているが、この構成を上記第２の実施例にも適用するようにしてもよい。また、上記第２の実施例では、実行時間・実行回数決定部１２０と繰り返し判定部１２１とを設け、経路検索処理の実行に実行時間や実行回数の条件を設けて繰り返し経路検索処理を行うようにし、リアルタイムで経路検索を把握できるようにしているが、これに限られるものではなく、実行時間・実行回数決定部１２０と繰り返し判定部１２１とを設けず、任意に経路検索を行うようにしてもよい。
【符号の説明】
【００７２】
１０  設備所管箇所監視制御端末装置
１１  センターサーバ
１２  構成管理データベース（データベース）
２５  制御コマンド文法データベース（データベース）
Ａｄｓ  始端装置（指定装置）
Ａｄｅ  終端装置（指定装置）
【図１】
0005691556.tif 000002
【図４】
0005691556.tif 000003
【図２】
0005691556.tif 000004
【図３】
0005691556.tif 000005
【図５】
0005691556.tif 000006
【図６】
0005691556.tif 000007